(57)【特許請求の範囲】
【請求項１】
端末に対して複数の下り単位キャリアを用いてデータを送信する基地局であって、
前記端末に対して前記複数の下り単位キャリアを設定すると共に、各下り単位キャリアのデータ送信リソースに関する割当情報を送信する制御チャネル単位キャリアを前記複数の下り単位キャリアの中から設定する手段であって、前記複数の下り単位キャリアの内の第１の下り単位キャリアに対しては１つの前記制御チャネル単位キャリアを対応付け、第２の下り単位キャリアに対しては複数の前記制御チャネル単位キャリアを対応付ける、単位キャリア設定手段と、
前記第２の下り単位キャリアの前記割当情報が端末個別のフォーマットである第１のケースでは、前記第２の下り単位キャリアに前記割当情報をマッピングし、前記第２の下り単位キャリアの前記割当情報が全端末に共通の共通フォーマットである第２のケースでは、前記第２の下り単位キャリアに対応付けられた前記複数の制御チャネル単位キャリアの内、前記第２の下り単位キャリアと異なる制御チャネル単位キャリアに前記割当情報をマッピングするマッピング手段と、
前記設定された複数の下り単位キャリア及び制御チャネル単位キャリアを用いて、前記データ及び前記割当情報を送信する送信手段と、
を具備する基地局。
【請求項２】
前記マッピング手段は、前記第１のケースにおいて、前記割当情報を、所定数以下のＣＣＥ（Control Channel Element）連結数に対応する領域に限定してマッピングする、
請求項１に記載の基地局。
【請求項３】
端末に対して複数の下り単位キャリアを用いてデータを送信する送信方法であって、
前記端末に対して前記複数の下り単位キャリアを設定すると共に、各下り単位キャリアのデータ送信リソースに関する割当情報を送信する制御チャネル単位キャリアを前記複数の下り単位キャリアの中から設定し、
前記複数の下り単位キャリアを設定する際、前記複数の下り単位キャリアの内の第１の下り単位キャリアに対しては１つの前記制御チャネル単位キャリアを対応付け、第２の下り単位キャリアに対しては複数の前記制御チャネル単位キャリアを対応付け、
前記第２の下り単位キャリアの前記割当情報が端末個別のフォーマットである第１のケースでは、前記第２の下り単位キャリアに前記割当情報をマッピングし、前記第２の下り単位キャリアの前記割当情報が全端末に共通の共通フォーマットである第２のケースでは、前記第２の下り単位キャリアに対応付けられた前記複数の制御チャネル単位キャリアの内、前記第２の下り単位キャリアと異なる制御チャネル単位キャリアに前記割当情報をマッピングし、
前記設定された複数の下り単位キャリア及び制御チャネル単位キャリアを用いて、前記データ及び前記割当情報を送信する、
送信方法。
【請求項４】
前記第１のケースにおいて、前記割当情報を、所定数以下のＣＣＥ（Control Channel Element）連結数に対応する領域に限定してマッピングする、
請求項３に記載の送信方法。
【発明の詳細な説明】
【技術分野】
【０００１】
本発明は、基地局及び送信方法に関する。
【背景技術】
【０００２】
３ＧＰＰ−ＬＴＥ(3rd Generation Partnership Project Radio Access Network Long Term Evolution、以下、ＬＴＥという)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１、２、３参照）。【０００３】
ＬＴＥでは、無線通信基地局装置（以下、「基地局」と省略する）は、システム帯域内のリソースブロック（Resource Block：ＲＢ）を、サブフレームと呼ばれる時間単位毎に無線通信端末装置（以下、「端末」と省略する）に対して割り当てることにより通信を行う。【０００４】
また、基地局は、下り回線データおよび上り回線データに対するリソース割当結果を通知するための下り制御情報（Ｌ１／Ｌ２制御情報）を端末へ送信する。この下り制御情報は、例えばＰＤＣＣＨ（Physical Downlink Control Channel）等の下り回線制御チャネルを用いて端末へ送信される。ここで、各ＰＤＣＣＨは、１つまたは連続する複数のＣＣＥ（Control Channel Element）で構成されるリソースを占有する。ＬＴＥでは、ＰＤＣＣＨが占有するＣＣＥ数（ＣＣＥ連結数：CCE aggregation level）は、下り制御情報の情報ビット数または端末の伝搬路状態に応じて、１，２，４，８の中の１つが選択される。なお、ＬＴＥでは、システム帯域幅として最大２０ＭＨｚの幅を持つ周波数帯域がサポートされる。【０００５】
また、基地局は、１サブフレームに複数の端末を割り当てる場合、複数のＰＤＣＣＨを同時に送信する。このとき、基地局は、各ＰＤＣＣＨの送信先の端末を識別するために、送信先の端末ＩＤでマスキング（または、スクランブリング）したＣＲＣビットをＰＤＣＣＨに含めて送信する。そして、端末は、自端末宛ての可能性がある複数のＰＤＣＣＨにおいて、自端末の端末ＩＤでＣＲＣビットをデマスキング（または、デスクランブリング）することによりＰＤＣＣＨをブラインド復号して、自端末宛のＰＤＣＣＨを検出する。【０００６】
また、基地局から送信される下り制御情報は、ＤＣＩ（Downlink Control Information）と呼ばれ、基地局が端末に対して割り当てたリソースの情報（リソース割当情報）およびＭＣＳ（Modulation and channel Coding Scheme）等が含まれる。ＤＣＩには、複数のフォーマットがある。すなわち、上り回線用フォーマット、下り回線ＭＩＭＯ（Multiple Input Multiple Output）送信用フォーマット、下り回線非連続帯域割当用フォーマット等である。端末は、下り割当制御情報（下り回線に関する割当制御情報）および上り割当制御情報（上り回線に関する割当制御情報）の両方を受信する必要がある。下り割当制御情報は、フォーマット（下り割当制御情報フォーマット）を複数有し、また、上り割当制御情報は、１つのフォーマット（上り割当制御情報フォーマット）を有している。【０００７】
例えば、下り制御情報（ＤＣＩ）には、基地局の送信アンテナ制御方法およびリソース割当方法等により、複数のサイズのフォーマットが定義される。その複数のフォーマットのうち、連続帯域割当を行う下り割当制御情報のフォーマット（以下、「連続帯域割当下りフォーマット」という）と、連続帯域割当を行う上り割当制御情報のフォーマット（以下、単に「連続帯域割当上りフォーマット」という）とは、同一サイズを有する。これらのフォーマット（ＤＣＩフォーマット）には、割当制御情報の種別（下り割当制御情報または上り割当制御情報）を示す種別情報（例えば、１ビットのフラグ）が含まれる。よって、端末は、連続帯域割当下りフォーマットのサイズと連続帯域割当上りフォーマットのサイズとが同一であっても、割当制御情報に含まれる種別情報を確認することにより、その割当制御情報が下り割当制御情報または上り割当制御情報のいずれであるかを特定することができる。【０００８】
例えば、連続帯域割当下りフォーマットは、ＤＣＩ  ｆｏｒｍａｔ０（以下、ＤＣＩ  ０という）と呼ばれ、一方、連続帯域割当上りフォーマットは、ＤＣＩ  ｆｏｒｍａｔ１Ａ（以下、ＤＣＩ  １Ａという）と呼ばれる。上述したようにＤＣＩ  ０およびＤＣＩ  １Ａは、同一サイズであり、種別情報によって区別できる。よって、以下の説明では、ＤＣＩ  ０およびＤＣＩ  １ＡをＤＣＩ  ０／１Ａとまとめて表記する。【０００９】
また、連続帯域割当下りフォーマットおよび連続帯域割当上りフォーマット以外にも、ＤＣＩフォーマットには、非連続帯域割当を行う下り割当制御情報のフォーマット（「非連続帯域割当下りフォーマット」：ＤＣＩ  ｆｏｒｍａｔ１：ＤＣＩ  １）、および、空間多重ＭＩＭＯ送信を割り当てる下り割当制御情報のフォーマット（「空間多重ＭＩＭＯ下りフォーマット」：ＤＣＩ  ｆｏｒｍａｔ２，２Ａ：ＤＣＩ  ２，２Ａ）等がある。ここで、ＤＣＩ  １，２，２Ａは、端末の下り送信モード（非連続帯域割当または空間多重ＭＩＭＯ送信）に依存して使用されるフォーマットである。すなわち、ＤＣＩ  １，２，２Ａは、いずれも端末毎に設定されるフォーマットである。一方、ＤＣＩ  ０／１Ａは、送信モードに依存せず、いずれの送信モードの端末に対しても使用できるフォーマットである。すなわち、ＤＣＩ  ０／１Ａは、全端末に対して共通に使用されるフォーマットである。また、ＤＣＩ  ０／１Ａが用いられた場合には、デフォルトの送信モードとして１アンテナ送信または送信ダイバーシチが用いられる。【００１０】
また、端末の回路規模を低減するためにブラインド復号の回数を削減することを目的として、ブラインド復号の対象となるＣＣＥを、端末毎に限定する方法が検討されている。この方法では、各端末によるブラインド復号の対象と成りうるＣＣＥ領域（以下、「サーチスペース（Search Space）」という）を限定する。ここでは、各端末に割り当てられるＣＣＥ領域の単位（つまり、ブラインド復号する単位に相当）は、「下り制御情報割当領域候補（PDCCH割当領域候補）」又は「ブラインド復号領域候補」と呼ぶ。【００１１】
ＬＴＥでは、サーチスペースは、端末毎にランダムに設定される。このサーチスペースを構成するＣＣＥ数は、ＰＤＣＣＨのＣＣＥ連結数毎に定義される。例えば、サーチスペースの構成ＣＣＥの数は、ＰＤＣＣＨのＣＣＥ連結数１，２，４，８それぞれに対応して、６，１２，８，１６となる。この場合、ブラインド復号領域候補の数は、ＰＤＣＣＨのＣＣＥ連結数１，２，４，８それぞれに対応して、６候補（６＝６÷１），６候補（６＝１２÷２），２候補（２＝８÷４），２候補（２＝１６÷８）となる。すなわち、ブラインド復号領域候補は、合計１６候補に限定される。これにより、各端末は、自端末に割り当てられたサーチスペース内のブラインド復号領域候補群に対してのみ、ブラインド復号を行えばよいため、ブラインド復号の回数を削減することができる。ここで、各端末のサーチスペースは、各端末の端末ＩＤと、ランダム化を行う関数であるハッシュ（hash）関数とを用いて設定される。この端末特有のＣＣＥ領域は、個別領域（UE specific Search Space：ＵＥ−ＳＳ）と呼ばれる。【００１２】
一方、ＰＤＣＣＨには、複数の端末に対して同時に通知される、端末共通のデータ割当のための制御情報（例えば、下り報知信号に関する割当情報および呼び出し（Paging）用の信号に関する割当情報）（以下、「共通チャネル向け制御情報」と呼ぶ）も含まれる。共通チャネル向け制御情報を伝送するために、ＰＤＣＣＨには、下り報知信号を受信すべき全端末に共通するＣＣＥ領域（以下、「共通領域（Common Search Space：Ｃ−ＳＳ）」と呼ぶ）が用いられる。Ｃ−ＳＳのサーチスペースには、ブラインド復号領域候補が、ＣＣＥ連結数４および８それぞれに対して、４候補（４＝１６÷４），２候補（２＝１６÷８）の合計６候補だけ存在する。【００１３】
また、端末は、ＵＥ−ＳＳでは、全端末に対して共通に使用される、第１種のＤＣＩフォーマット（ＤＣＩ  ０／１Ａ）、および、送信モードに依存した、第２種のＤＣＩフォーマット（ＤＣＩ  １，２，２Ａなど）という、２種類のサイズのＤＣＩフォーマットのそれぞれについて、ブラインド復号を行う。例えば、端末は、ＵＥ−ＳＳでは、上記したサイズの異なる、第１種のＤＣＩフォーマット（ＤＣＩ  ０／１Ａ）および第２種のＤＣＩフォーマット（ＤＣＩ  １，２，２Ａなど）のそれぞれに関して、１６個のブラインド復号領域候補に対するブラインド復号を行うので、合計３２回のブラインド復号を行うことになる。また、端末は、Ｃ−ＳＳでは、共通チャネル割当用フォーマットであるＤＣＩ  ｆｏｒｍａｔ１Ｃ（以下、ＤＣＩ  １Ｃという）およびＤＣＩ  １Ａのそれぞれについて、上記６個のブラインド復号領域候補に対するブラインド復号を行うので、合計１２回のブラインド復号を行うことになる。従って、端末は、サブフレームあたり、合計４４回のブラインド復号を行うことになる。【００１４】
ここで、共通チャネル割当に用いられるＤＣＩ  １Ａと、端末個別のデータ割当に用いられるＤＣＩ  ０／１Ａとは、同一サイズであるが、端末ＩＤによって互いに区別される。そのため、基地局は、端末のブラインド復号回数を増やすことなく、端末個別のデータ割当を行うＤＣＩ  ０／１ＡをＣ−ＳＳでも送信することができる。【００１５】
また、ＬＴＥよりも更なる通信の高速化を実現する３ＧＰＰ  ＬＴＥ−Ａｄｖａｎｃｅｄ（以下、ＬＴＥ−Ａという）の標準化が開始された。ＬＴＥ−Ａでは、最大１Ｇｂｐｓ以上の下り伝送速度および最大５００Ｍｂｐｓ以上の上り伝送速度が実現される。このため、４０ＭＨｚ以上の広帯域周波数で通信可能な基地局および端末（以下、「ＬＴＥ−Ａ端末」という）が導入される見込みである。また、ＬＴＥ−Ａシステムは、ＬＴＥ−Ａ端末のみでなく、ＬＴＥシステムに対応する端末（以下、「ＬＴＥ端末」という）を収容することが要求されている。【００１６】
そして、ＬＴＥ−Ａでは、４０ＭＨｚ以上の広帯域通信を実現するために、複数の周波数帯域を連結して通信するキャリア連結（Carrier aggregation）方式が提案されている（例えば、非特許文献１参照）。例えば、２０ＭＨｚの幅を持つ周波数帯域が通信帯域の基本単位(以下、単位キャリア（component carrier: CC）という)とされている。よって、ＬＴＥ−Ａでは、例えば、２つの単位キャリアを連結することにより４０ＭＨｚのシステム帯域幅を実現する。また、１つの単位キャリアには、ＬＴＥ端末およびＬＴＥ−Ａ端末の双方が収容される。なお、以下の説明では、上り回線における単位キャリアを上り単位キャリアと呼び、下り回線における単位キャリアを下り単位キャリアと呼ぶ。【００１７】
そして、ＬＴＥ−Ａではシステムとして少なくとも５つのＣＣによるキャリア連結をサポートすることが検討されているが、各端末のＣＣ数の受信能力や要求される伝送レートなどによって実際に使われるＣＣ数は端末ごとに異なる。そこで、どのＣＣを用いるのかは端末ごとに設定(Configure)される。設定されたＣＣを「UE CC set」と呼ぶ。また、UE CC setは端末の要求伝送レートによりsemi-staticに制御される。【００１８】
そして、ＬＴＥ−Ａでは、ある端末に対して複数の単位キャリアにデータを割り当てる場合には、複数のＰＤＣＣＨによって割当制御情報が通知される。つまり、各単位キャリアのリソース割当結果は、１つの単位キャリアについて１つのＰＤＣＣＨを用いて通知される。ここで、ＬＴＥ−Ａでは各単位キャリアのリソース割当情報を基地局から端末へ通知する方法として、ある単位キャリアで送信されるＰＤＣＣＨで異なる単位キャリアのデータを割り当てること、つまり、「クロスキャリアスケジューリング」が検討されている。具体的にはＰＤＣＣＨ内のCarrier Indicator(CI)を用いてそのＰＤＣＣＨが割当対象とする単位キャリアを指示することが検討されている。すなわち、ＣＩによって、各単位キャリアがラベリングされる。ＣＩはＣＩＦ(Carrier Indicator Field)と呼ばれるＰＤＣＣＨ内のフィールドで送信される（例えば、非特許文献５参照）。【００１９】
また、ＬＴＥ−Ａでは、さらに、上り回線の送信方法として、非連続帯域割当を用いた送信方法およびＭＩＭＯを用いた送信方法が新たに導入される。これに伴い、新たなＤＣＩフォーマット（例えば、ＤＣＩ  ｆｏｒａｍｔ０Ａ，０Ｂ：ＤＣＩ  ０Ａ，０Ｂ）を定義することが検討されている（例えば、非特許文献４参照）。すなわち、ＤＣＩ  ０Ａ，０Ｂは、上り送信モードに依存するＤＣＩフォーマットである。この場合、上述のＬＴＥのブラインド復号に加えて、ＵＥ−ＳＳでさらに１６回のブラインド復号が追加され、端末は、サブフレームあたり合計６０回のブラインド復号を行うことになる。
【先行技術文献】
【非特許文献】
【００２０】
【非特許文献１】3GPP TS 36.211 V8.7.0, “Physical Channels and Modulation (Release 8),” September 2008
【非特許文献２】3GPP TS 36.212 V8.7.0, “Multiplexing and channel coding (Release 8),” September  2008
【非特許文献３】3GPP TS 36.213 V8.7.0, “Physical layer procedures (Release 8),” September  2008
【非特許文献４】3GPP TSG RAN WG1 meeting, R1-092641, “PDCCH design for Carrier aggregation and Post Rel-8 feature,” June 2009
【非特許文献５】3GPP TSG RAN WG1 meeting, R1-100041, “Mapping of CIF to component carriers” January, 2010
【発明の概要】
【発明が解決しようとする課題】
【００２１】
ところで、上記したクロスキャリアスケジューリングに関して、次の２つの方法が検討されている。【００２２】
第１の方法は、データを送信する単位キャリアと、当該単位キャリアでのデータ送信に用いるリソース割当に関するＰＤＣＣＨを送信する単位キャリア（以下では、「PDCCH CC」と呼ぶことがある）とを、１対１に対応させる方法である。ここで、PDCCH CCに関する情報（つまり、データ送信する単位キャリアのためのＰＤＣＣＨをどの単位キャリアから送信するかに関する情報）は、上位レイヤ（つまり、RRCシグナリング）によって設定される。【００２３】
この第１の方法が採用される場合、端末は、データの送信に用いられる単位キャリアの数と同じ回数だけ、ブラインド復号を行えば良い。すなわち、上記した６０回に、データの送信に用いられる単位キャリア数を乗じた回数のブラインド復号を行うだけで良い。【００２４】
しかしながら、図１に示すように、PDCCH CCを変更する場合には、上位レイヤ（RRC）のシグナリングが必要になる。すなわち、例えば、PDCCHを送信する単位キャリアのConfigurationを、RRCシグナリングによって図１のConfiguration １から２へ変更する処理が必要となる。これにより、上位レイヤのメッセージの送受信におけるオーバーヘッドおよび遅延が大きくなる。【００２５】
一方、第２の方法は、図２に示すように、任意の単位キャリアのPDCCH CCを、その任意の単位キャリアを含む全ての単位キャリア（又は、複数の単位キャリアの内の一部（ただし、２以上）の単位キャリア）とする方法である。この第２の方法が採用される場合、端末は、上記した６０回に、データの送信に用いられる単位キャリアの数及びPDCCH CCの数をそれぞれ乗じた回数だけ、ブラインド復号する必要がある。ここで、端末は、各単位キャリアのDCIサイズ（つまり、制御情報ビット数）が同一である場合には、任意の単位キャリアにおいて複数の単位キャリアのPDCCHを１回のブラインド復号によって検出可能である。しかしながら、全ての単位キャリアのDCIサイズが互いに異なるという最悪の場合には、端末は、上記した６０回に、データの送信に用いられる単位キャリアの数及びPDCCH CCの数をそれぞれ乗じた回数だけ、ブラインド復号する必要がある。すなわち、ブラインド復号の回数が増大し、端末の構成が複雑化してしまう。【００２６】
本発明の目的は、クロスキャリアスケジューリングが採用される場合でも、PDCCH CCの変更時に上位レイヤのシグナリングを必要とせず、PDCCHの受信側におけるブラインド復号回数の増加を抑えることができる基地局及び送信方法を提供することである。
【課題を解決するための手段】
【００２７】
本発明の一態様の基地局は、端末に対して複数の下り単位キャリアを用いてデータを送信する基地局であって、前記端末に対して前記複数の下り単位キャリアを設定すると共に、各下り単位キャリアのデータ送信リソースに関する割当情報を送信する制御チャネル単位キャリアを前記複数の下り単位キャリアの中から設定する手段であって、前記複数の下り単位キャリアの内の第１の下り単位キャリアに対しては１つの前記制御チャネル単位キャリアを対応付け、第２の下り単位キャリアに対しては複数の前記制御チャネル単位キャリアを対応付ける、単位キャリア設定手段と、前記単位キャリア設定手段によって設定された複数の下り単位キャリア及び制御チャネル単位キャリアを用いて、前記データ及び前記割当情報を送信する送信手段と、を具備する。【００２８】
本発明の一態様の送信方法は、端末に対して複数の下り単位キャリアを用いてデータを送信する送信方法であって、前記端末に対して前記複数の下り単位キャリアを設定すると共に、各下り単位キャリアのデータ送信リソースに関する割当情報を送信する制御チャネル単位キャリアを前記複数の下り単位キャリアの中から設定するステップであって、前記複数の下り単位キャリアの内の第１の下り単位キャリアに対しては１つの前記制御チャネル単位キャリアが対応付けられ、第２の下り単位キャリアに対しては複数の前記制御チャネル単位キャリアが対応付けられる、ステップと、前記設定された複数の下り単位キャリア及び制御チャネル単位キャリアを用いて、前記データ及び前記割当情報を送信するステップと、を具備する。
【発明の効果】
【００２９】
本発明によれば、クロスキャリアスケジューリングが採用される場合でも、PDCCH CCの変更時に上位レイヤのシグナリングを必要とせず、PDCCHの受信側におけるブラインド復号回数の増加を抑えることができる基地局及び送信方法を提供することができる。
【図面の簡単な説明】
【００３０】
【図１】クロスキャリアスケジューリングの説明に供する図
【図２】クロスキャリアスケジューリングの説明に供する図
【図３】本発明の実施の形態１に係る基地局の構成を示すブロック図
【図４】Ｃ−ＳＳおよび或る端末に対するＵＥ−ＳＳの設定例を示す図
【図５】本発明の実施の形態１に係る端末の構成を示すブロック図
【図６】基地局及び端末の動作説明に供する図
【図７】ヘテロジニアスネットワークの構成を示す図
【図８】本発明の実施の形態２に係るＣ−ＳＳおよび或る端末に対するＵＥ−ＳＳの設定例を示す図
【図９】本発明の実施の形態２に係る基地局及び端末の動作説明に供する図
【図１０】本発明の実施の形態３に係る基地局及び端末の動作説明に供する図
【発明を実施するための形態】
【００３１】
以下、本発明の実施の形態について図面を参照して詳細に説明する。なお、実施の形態において、同一の構成要素には同一の符号を付し、その説明は重複するので省略する。
【００３２】
また、以下の説明では、次の事項を前提として説明する。すなわち、共通チャネル割当用ＤＣＩフォーマットとして、ＤＣＩ  １Ｃ，１Ａが使用される。また、全端末で共通に使用される（つまり、送信モードに依存せず、いずれの送信モードの端末に対しても使用できる）、データ割当用ＤＣＩフォーマットとして、ＤＣＩ  ０／１Ａが使用される。このＤＣＩ  ０／１Ａは、デフォルト送信モードのデータ割当用ＤＣＩフォーマットである。また、上り送信モードに依存するデータ割当用ＤＣＩフォーマットとして、ＤＣＩ  ０Ａ，０Ｂが使用される。また、下り送信モードに依存するデータ割当用ＤＣＩフォーマットとして、ＤＣＩ  １，２，２Ａが使用される。また、ＰＤＣＣＨにＣＩ(Carrier Indicator)を付加することにより、つまり、ＰＤＣＣＨをＣＩによってラベリングすることにより、任意の単位キャリアから、当該任意の単位キャリアと異なる単位キャリアのデータ割当に関する通知を行うことができる。ただし、Ｃ−ＳＳで送信するＰＤＣＣＨ信号は、共通チャネルを割り当てるＰＤＣＣＨと同一フォーマットにする必要がある。このため、Ｃ−ＳＳでは、ＣＩを含まないＰＤＣＣＨ信号が送信される。すなわち、Ｃ−ＳＳで送信されるＰＤＣＣＨ信号によれば、このＰＤＣＣＨ信号が送信される単位キャリアにおけるデータ送信のリソース割当に関する通知のみを行うことができる。
【００３３】
［実施の形態１］
［基地局１００の構成］
図３は、本発明の実施の形態１に係る基地局１００の構成を示すブロック図である。図３において、基地局１００は、ＣＣ設定部１０１と、制御部１０２と、サーチスペース設定部１０３と、ＰＤＣＣＨ生成部１０４と、符号化・変調部１０５，１０６，１０７と、割当部１０８と、多重部１０９と、ＩＦＦＴ（Inverse Fast Fourier Transform）部１１０と、ＣＰ（Cyclic Prefix）付加部１１１と、送信ＲＦ部１１２と、アンテナ１１３と、受信ＲＦ部１１４と、ＣＰ除去部１１５と、ＦＦＴ（Fast Fourier Transform）部１１６と、抽出部１１７と、ＩＤＦＴ（Inverse Discrete Fourier transform）部１１８と、データ受信部１１９と、ＡＣＫ／ＮＡＣＫ受信部１２０とを有する。
【００３４】
ＣＣ設定部１０１は、端末毎に上り回線および下り回線にそれぞれ使用する１つまたは複数の単位キャリアを設定（configure）、つまり、UE CC setを設定する。具体的には、下り単位キャリアと上り単位キャリアとは、予め対応付けられている。従って、ＣＣ設定部１０１は、下り単位キャリアを決めれば上り単位キャリアが自ずと決まるので、下り単位キャリアのみを設定することにより、UE CC setを設定することができる。このUE CC setは、例えば、各端末の所要伝送レート、送信バッファ内の送信すべきデータ量、許容遅延量、QoS（Quality of Service）などに従って、設定される。
【００３５】
また、ＣＣ設定部１０１は、設定した各下り単位キャリアに対して、１つ又は複数の「PDCCH CC」を設定する。この「PDCCH CC」は、上述の通り、任意の単位キャリアでのデータ送信に用いるリソース割当に関するＰＤＣＣＨを送信することのできる単位キャリアを意味する。
【００３６】
PDCCH CCの選択基準は、例えば、次の通りである。
（１）長時間平均の伝搬路状況の良好な単位キャリア（例えば、伝搬路減衰（パスロス）の小さい単位キャリア）が選択される。
（２）ＳＩＲがより高い単位キャリアが選択される。
（３）送信電力または受信電力がより高い単位キャリアが選択される。
（４）他セル干渉がより小さい単位キャリアが選択される。
（５）マクロセル及びピコセル／フェムトセルなどで構成されるヘテロジニアスネットワーク環境において、干渉制御のため送信電力の大きい第１の単位キャリア（つまり、よりカバレッジの大きい単位キャリア）と送信電力の小さい第２の単位キャリア（つまり、カバレッジの小さい単位キャリア）を用いる場合には、第１の単位キャリアに対しては、それ自身を唯一のPDCCH CCとして選択し、第２の単位キャリアに対しては、それ自身及び送信電力の大きい単位キャリアを、PDCCH CCとして選択する。
なお、上記PDCCH CCの選択基準（１）〜（５）は、単独で用いても良いし、任意の組み合わせで用いても良い。また、端末の受信対象の単位キャリアとして設定されていない単位キャリア（つまり、UE CC setに含められていない単位キャリア）は、PDCCH CCについての選択対象としない。これにより、端末の受信対象単位キャリアの数を削減することができる。
【００３７】
また、ＣＣ設定部１０１は、設定対象の端末送受信能力（UE Capability）又は伝搬路状況に基づいて、設定対象の端末との間の通信における、各上り単位キャリアの送信モードおよび各上り単位キャリアの送信モードを設定する。この送信モードの設定は、設定対象端末毎に行われる。この送信モードには、例えば、空間多重ＭＩＭＯによる送信モード、ビームフォーミング送信モード、及び非連続帯域割当による送信モードが含まれる。
【００３８】
そして、ＣＣ設定部１０１は、設定したUE CC setに関する情報、UE CC setに含まれる各下り単位キャリアのPDCCH CCに関する情報、及び、各単位キャリアの送信モードに関する情報を設定情報に含めて、制御部１０２、サーチスペース設定部１０３、ＰＤＣＣＨ生成部１０４、符号化・変調部１０６及び割当部１０８に出力する。なお、この設定情報は、上位レイヤの制御情報（ＲＲＣ制御情報）として、符号化・変調部１０６を介して各端末へ通知される。
【００３９】
制御部１０２は、ＣＣ設定部１０１から受け取る設定情報に応じて、割当制御情報を生成する。
【００４０】
具体的には、制御部１０２は、割当制御情報の生成対象である端末に対して下り単位キャリアが１つだけ設定されている場合（つまり、UE CC setに下り単位キャリアが１つだけ含まれている場合）には、その端末に対して、送信するトランスポートブロックに対するＭＣＳ情報、リソース（ＲＢ）割当情報、および、ＨＡＲＱ情報を含む割当制御情報を生成する。一方、制御部１０２は、割当制御情報の生成対象である端末に対して複数の下り単位キャリアが設定されている場合（つまり、UE CC setに複数の下り単位キャリアが含まれている場合）には、その端末に対しては、送信するトランスポートブロックに対するＭＣＳ情報、リソース（ＲＢ）割当情報、ＨＡＲＱ情報、及び、ＣＣ番号を示すＣＩ（Carrier Indicator）を含む割当制御情報を生成する。この場合、割当制御情報は、下り回線または上り回線の単位キャリア毎に生成される。ここで、制御部１０２によって生成されるリソース割当情報には、端末の上り回線データを割り当てる上りリソース（例えば、ＰＵＳＣＨ（Physical Uplink Shared Channel））を示す上りリソース割当情報、および、端末宛ての下り回線データを割り当てる下りリソース（例えば、ＰＤＳＣＨ（Physical Downlink Shared Channel））を示す下りリソース割当情報が含まれる。また、割当制御情報のサイズ（つまり、ビット数）は、その割当制御情報によってリソースが割り当てられる単位キャリア（つまり、割当対象単位キャリア）の帯域幅及びその単位キャリアに設定される送信モードによって異なる。
【００４１】
ここで、制御部１０２は、割当対象単位キャリアに設定される送信モードに応じたフォーマットによって、割当制御情報を生成する。すなわち、制御部１０２は、端末の上り回線の送信モードに応じたＤＣＩフォーマット（ＤＣＩ  ０Ａ，０Ｂ）、下り回線の送信モードに応じたＤＣＩフォーマット（ＤＣＩ  １，２または２Ａ）、または、全端末共通のＤＣＩフォーマット（ＤＣＩ  ０／１Ａ）によって、割当制御情報を生成する。
【００４２】
例えば、通常のデータ送信時には、制御部１０２は、各端末の送信モードに応じたフォーマット（ＤＣＩ  １，２，２Ａ，２Ｂ，０Ａ，０Ｂ）で、割当制御情報を生成する。これにより、各端末に設定した送信モードでデータ伝送が行えるので、スループットを向上することができる。
【００４３】
しかし、急激な伝搬路状況の変化または隣接セルからの干渉の変化等によっては、各端末に設定した送信モードでは受信誤りが頻発する状況も起こり得る。この場合には、制御部１０２は、全端末に共通のフォーマット（ＤＣＩ  ０／１Ａ）で、割当制御情報を生成する。つまり、デフォルト送信モードのフォーマットで、割当制御情報を生成する。これにより、よりロバスト（Robust）な送信が可能となる。
【００４４】
また、伝搬路状況が悪化した場合に送信モードの変更を通知するための上位レイヤの制御情報（RRC signaling）を送信する時にも、制御部１０２は、全端末共通の割当制御情報（ＤＣＩ  ０／１Ａ）を生成する。ここで、全端末共通のＤＣＩ  ０／１Ａの情報ビット数は、送信モードに依存するＤＣＩ  １，２，２Ａ，０Ａ，０Ｂの情報ビット数よりも少ない。このため、同じＣＣＥ数が設定された場合、ＤＣＩ  ０／１Ａの方が、ＤＣＩ  １，２，２Ａ，０Ａ，０Ｂよりも、低い符号化率で送信することができる。よって、伝搬路状況が悪化した場合に制御部１０２がＤＣＩ  ０／１Ａを用いることにより、伝搬路状況が劣悪な端末でも良好な誤り率でデータを受信することができる。
【００４５】
また、制御部１０２は、端末個別のデータ割当向けの割当制御情報の他に、報知情報およびＰａｇｉｎｇ情報等の複数の端末共通のデータ割当のための、共通チャネル向け割当制御情報（例えば、ＤＣＩ  １Ｃ，１Ａ）を生成する。
【００４６】
そして、制御部１０２は、生成した端末個別のデータ割当向けの割当制御情報のうち、ＭＣＳ情報およびＨＡＲＱ情報をＰＤＣＣＨ生成部１０４に出力し、上りリソース割当情報をＰＤＣＣＨ生成部１０４および抽出部１１７に出力し、下りリソース割当情報をＰＤＣＣＨ生成部１０４および多重部１０９に出力する。また、制御部１０２は、生成した共通チャネル向け割当制御情報をＰＤＣＣＨ生成部１０４に出力する。
【００４７】
サーチスペース設定部１０３は、共通サーチスペース（Ｃ−ＳＳ）および個別サーチスペース（ＵＥ−ＳＳ）を設定する。共通サーチスペース（Ｃ−ＳＳ）は、上述のとおり、全端末に共通のサーチスペースであり、個別サーチスペース（ＵＥ−ＳＳ）は、各端末に個別のサーチスペースである。
【００４８】
具体的には、サーチスペース設定部１０３は、予め設定したＣＣＥ（例えば、先頭ＣＣＥから１６ＣＣＥ分のＣＣＥ）をＣ−ＳＳとして設定する。ＣＣＥは、基本単位である。
【００４９】
一方、サーチスペース設定部１０３は、各端末に対してＵＥ−ＳＳを設定する。サーチスペース設定部１０３は、例えば、或る端末のＵＥ−ＳＳを、その端末の端末ＩＤおよびランダム化を行うハッシュ（hash）関数を用いて算出されるＣＣＥ番号と、サーチスペースを構成するＣＣＥ数（Ｌ）とから、算出する。
【００５０】
図４は、Ｃ−ＳＳおよび或る端末に対するＵＥ−ＳＳの設定例を示す図である。
【００５１】
図４では、ＰＤＣＣＨのＣＣＥ連結数４に対して、４つのPDCCH割当領域候補（つまり、ＣＣＥ０〜３，ＣＣＥ４〜７，ＣＣＥ８〜１１，ＣＣＥ１２〜１５）が、Ｃ−ＳＳとして設定されている。また、ＰＤＣＣＨのＣＣＥ連結数８に対して、２つのPDCCH割当領域候補（つまり、ＣＣＥ０〜７，ＣＣＥ８〜１５）が、Ｃ−ＳＳとして設定されている。すなわち、図４では、合計６つのPDCCH割当領域候補が、Ｃ−ＳＳとして設定されている。
【００５２】
また、図４では、ＣＣＥ連結数１に対して、６つのPDCCH割当領域候補（つまり、ＣＣＥ１６〜２１のそれぞれ）が、ＵＥ−ＳＳとして設定されている。また、ＣＣＥ連結数２に対して、６つのPDCCH割当領域候補（つまり、ＣＣＥ６〜１７を２つずつ分割したもの）が、ＵＥ−ＳＳとして設定されている。また、ＣＣＥ連結数４に対して、２つのPDCCH割当領域候補（つまり、ＣＣＥ２０〜２３，ＣＣＥ２４〜２７）が、ＵＥ−ＳＳとして設定されている。また、ＣＣＥ連結数８に対して、２つのPDCCH割当領域候補（つまり、ＣＣＥ１６〜２３，ＣＣＥ２４〜３１）が、ＵＥ−ＳＳとして設定されている。すなわち、図４では、合計１６個のPDCCH割当領域候補が、ＵＥ−ＳＳとして設定されている。
【００５３】
なお、サーチスペース設定部１０３は、複数の単位キャリアが設定されたＬＴＥ−Ａ端末に対しては、設定された単位キャリア毎に、ＵＥ−ＳＳを設定する。そして、サーチスペース設定部１０３は、設定した各端末のＵＥ−ＳＳを示すサーチスペース情報を割当部１０８に出力する。
【００５４】
図３に戻り、ＰＤＣＣＨ生成部１０４は、制御部１０２から受け取る、端末個別のデータ割当向けの割当制御情報（つまり、端末毎の上りリソース割当情報、下りリソース割当情報、ＭＣＳ情報およびＨＡＲＱ情報等）を含むＰＤＣＣＨ信号、または、共通チャネル向け割当制御情報（つまり、端末共通の報知情報およびＰａｇｉｎｇ情報等）を含むＰＤＣＣＨ信号を生成する。このとき、ＰＤＣＣＨ生成部１０４は、端末毎に生成する上り割当制御情報および下り割当制御情報に対してＣＲＣビットを付加し、さらにＣＲＣビットを端末ＩＤでマスキング（または、スクランブリング）する。そして、ＰＤＣＣＨ生成部１０４は、マスキング後のＰＤＣＣＨ信号を、符号化・変調部１０５に出力する。
【００５５】
符号化・変調部１０５は、ＰＤＣＣＨ生成部１０４から受け取るＰＤＣＣＨ信号をチャネル符号化後に変調して、変調後のＰＤＣＣＨ信号を割当部１０８に出力する。ここで、符号化・変調部１０５は、各端末から報告されるチャネル品質情報（ＣＱＩ：Channel Quality Indicator）情報に基づいて、各端末で十分な受信品質が得られるように符号化率を設定する。例えば、符号化・変調部１０５は、セル境界付近に位置する端末ほど（つまり、チャネル品質が悪い端末ほど）、より低い符号化率を設定する。
【００５６】
割当部１０８は、符号化・変調部１０５から受け取る、共通チャネル向け割当制御情報を含むＰＤＣＣＨ信号、および、各端末に対する端末個別のデータ割当向けの割当制御情報を含むＰＤＣＣＨ信号を、サーチスペース設定部１０３から受け取るサーチスペース情報が示す、Ｃ−ＳＳ内のＣＣＥまたは端末毎のＵＥ−ＳＳ内のＣＣＥに、それぞれ割り当てる。例えば、割当部１０８は、Ｃ−ＳＳ（例えば、図４）内のPDCCH割当領域候補群の中から１つのPDCCH割当領域候補を選択する。そして、割当部１０８は、共通チャネル向け割当制御情報を含むＰＤＣＣＨ信号を、選択したPDCCH割当領域候補内のＣＣＥに割り当てる。
【００５７】
さらに、割当部１０８は、割当制御情報を含むＰＤＣＣＨ信号を、その割当制御情報によってリソースが割り当てられる単位キャリアの種別及びその割当制御情報のフォーマットの種別に応じたマッピングルールに基づいて、マッピングする。ここでの単位キャリアの種別とは、１つのPDCCH CCと対応付けられている第１種単位キャリアであるのか、複数のPDCCH CCと対応付けられている第２種単位キャリアであるのかを意味する。この単位キャリアの種別に関する判定は、ＣＣ設定部１０１から受け取る設定情報に基づいて行われる。
【００５８】
具体的には、上記マッピングルールは、次の通りである。
【００５９】
（１）マッピング対象のＰＤＣＣＨ信号に含まれる、端末個別のデータ割当向けの割当制御情報によってリソースが割り当てられる対象単位キャリアが、第１種単位キャリアであり、且つ、その割当制御情報のフォーマットが、送信モード依存のＤＣＩフォーマット（例えば、ＤＣＩ  １，２，２Ａ，０Ａ，０Ｂ）である場合：
この場合には、その対象単位キャリアに設定されたPDCCH CCにおいて割当対象端末に対して設定されたＵＥ−ＳＳに、ＰＤＣＣＨ信号がマッピングされる。
【００６０】
（２）マッピング対象のＰＤＣＣＨ信号に含まれる、端末個別のデータ割当向けの割当制御情報によってリソースが割り当てられる対象単位キャリアが、第１種単位キャリアであり、且つ、その割当制御情報のフォーマットが、全端末共通のフォーマット（例えば、ＤＣＩ  ０／１Ａ）である場合：
この場合には、その対象単位キャリアのＣ−ＳＳ、又は、その対象単位キャリアに設定されたPDCCH CCにおいて割当対象端末に対して設定されたＵＥ−ＳＳに、ＰＤＣＣＨ信号がマッピングされる。なお、Ｃ−ＳＳにはＣＩＦを含まないＰＤＣＣＨ信号を割り当てる。つまり、Ｃ−ＳＳで送信するＰＤＣＣＨ信号によれば、そのＣ−ＳＳを含む単位キャリアに関する割り当てのみ可能である。
【００６１】
（３）マッピング対象のＰＤＣＣＨ信号に含まれる、端末個別のデータ割当向けの割当制御情報によってリソースが割り当てられる対象単位キャリアが、第２種単位キャリアであり、且つ、送信モード依存のＤＣＩフォーマット（例えば、ＤＣＩ  １，２，２Ａ，０Ａ，０Ｂ）である場合：
この場合には、その対象単位キャリアにおいて割当対象端末に対して設定されたＵＥ−ＳＳに、ＰＤＣＣＨ信号がマッピングされる。
【００６２】
（４）マッピング対象のＰＤＣＣＨ信号に含まれる、端末個別のデータ割当向けの割当制御情報によってリソースが割り当てられる対象単位キャリアが、第２種単位キャリアであり、且つ、全端末共通のフォーマット（例えば、ＤＣＩ  ０／１Ａ）である場合：
この場合には、その対象単位キャリアに対して設定された複数のPDCCH CCの内、その対象単位キャリアと異なるPDCCH CCにおいて割当対象端末に設定されたＵＥ−ＳＳ、又は、その複数のPDCCH CCの内のいずれかのＣ−ＳＳに、ＰＤＣＣＨ信号がマッピングされる。
【００６３】
ここで、１つのＰＤＣＣＨ信号のＣＣＥ連結数は、符号化率およびＰＤＣＣＨ信号のビット数（つまり、割当制御情報の情報量）によって異なる。例えば、セル境界付近に位置する端末宛てのＰＤＣＣＨ信号の符号化率は低く設定されるので、より多くの物理リソースが必要である。従って、割当部１０８は、セル境界付近に位置する端末宛てのＰＤＣＣＨ信号を、より多くのＣＣＥに割り当てる。
【００６４】
そして、割当部１０８は、ＣＣＥに割り当てたＰＤＣＣＨ信号を多重部１０９に出力する。また、割当部１０８は、ＰＤＣＣＨ信号が割り当てられたＣＣＥを示す情報をＡＣＫ／ＮＡＣＫ受信部１２０に出力する。なお、割当部１０８におけるＣＣＥ割当処理の詳細については後述する。
【００６５】
符号化・変調部１０６は、ＣＣ設定部１０１から受け取る設定情報をチャネル符号化後に変調して、変調後の設定情報を多重部１０９に出力する。
【００６６】
符号化・変調部１０７は、入力される送信データ（下り回線データ）をチャネル符号化後に変調して、変調後の送信データ信号を多重部１０９に出力する。
【００６７】
多重部１０９は、各CCにおいて、割当部１０８から受け取るＰＤＣＣＨ信号、符号化・変調部１０６から受け取る設定情報、および符号化・変調部１０７から入力されるデータ信号（つまり、ＰＤＳＣＨ信号）を多重する。ここで、多重部１０９は、制御部１０２から受け取る下りリソース割当情報に基づいて、ＰＤＣＣＨ信号およびデータ信号（ＰＤＳＣＨ信号）をマッピングする。なお、多重部１０９は、設定情報をＰＤＳＣＨにマッピングしてもよい。そして、多重部１０９は、多重信号をＩＦＦＴ部１１０に出力する。
【００６８】
ＩＦＦＴ部１１０は、多重部１０９からの多重信号を時間波形に変換し、ＣＰ付加部１１１は、この時間波形にＣＰを付加することによりＯＦＤＭ信号を得る。
【００６９】
送信ＲＦ部１１２は、ＣＰ付加部１１１から入力されるＯＦＤＭ信号に対して送信無線処理（アップコンバート、ディジタルアナログ（Ｄ／Ａ）変換など）を施し、アンテナ１１３を介して送信する。
【００７０】
一方、受信ＲＦ部１１４は、アンテナ１１３を介して受信帯域で受信した受信無線信号に対して受信無線処理（ダウンコンバート、アナログディジタル（Ａ／Ｄ）変換など）を施し、得られた受信信号をＣＰ除去部１１５に出力する。
【００７１】
ＣＰ除去部１１５は、受信信号からＣＰを除去し、ＦＦＴ（Fast Fourier Transform）部１１６は、ＣＰ除去後の受信信号を周波数領域信号に変換する。
【００７２】
抽出部１１７は、制御部１０２から受け取る上りリソース割当情報に基づいて、ＦＦＴ部１１６から受け取る周波数領域信号から上り回線データを抽出し、ＩＤＦＴ部１１８は、抽出信号を時間領域信号に変換し、その時間領域信号をデータ受信部１１９およびＡＣＫ／ＮＡＣＫ受信部１２０に出力する。
【００７３】
データ受信部１１９は、ＩＤＦＴ部１１８から入力される時間領域信号を復号する。そして、データ受信部１１９は、復号後の上り回線データを受信データとして出力する。
【００７４】
ＡＣＫ／ＮＡＣＫ受信部１２０は、ＩＤＦＴ部１１８から受け取る時間領域信号のうち、下り回線データ（ＰＤＳＣＨ信号）に対する各端末からのＡＣＫ／ＮＡＣＫ信号を抽出する。具体的には、ＡＣＫ／ＮＡＣＫ受信部１２０は、そのＡＣＫ／ＮＡＣＫ信号を、割当部１０８から受け取る情報に基づいて、上り回線制御チャネル（例えば、ＰＵＣＣＨ（Physical Uplink Control Channel））から抽出する。また、その上り回線制御チャネルは、その下り回線データに割り当てられたＣＣＥに対応付けられた上り回線制御チャネルである。
【００７５】
そして、ＡＣＫ／ＮＡＣＫ受信部１２０は、抽出したＡＣＫ／ＮＡＣＫ信号のＡＣＫ／ＮＡＣＫ判定を行う。
【００７６】
なお、ここでは、ＣＣＥとＰＵＣＣＨとが対応付けられているのは、端末がＡＣＫ／ＮＡＣＫ信号の送信に用いるＰＵＣＣＨを基地局から各端末へ通知するためのシグナリングを不要にするためである。これにより、下り回線の通信リソースを効率良く使用することができる。従って、各端末は、この対応付けに従って、自端末への制御情報（ＰＤＣＣＨ信号）がマッピングされているＣＣＥに基づいて、ＡＣＫ／ＮＡＣＫ信号の送信に用いるＰＵＣＣＨを判定している。ここで、基地局１００が複数の下り単位キャリアの下りリソース割当情報を含むＰＤＣＣＨ信号を、複数の下り単位キャリアのＣＣＥに割り当てた場合、ＡＣＫ／ＮＡＣＫ受信部１２０は、各ＣＣＥのＣＣＥ番号に対応付けられたＰＵＣＣＨから、ＡＣＫ／ＮＡＣＫ信号をそれぞれ抽出する。
【００７７】
［端末２００の構成］
図５は、本発明の実施の形態１に係る端末２００の構成を示すブロック図である。ここでは、端末２００は、ＬＴＥ−Ａ端末であり、複数の下り単位キャリアを使用してデータ信号（下り回線データ）を受信し、そのデータ信号に対するＡＣＫ／ＮＡＣＫ信号を１つの上り単位キャリアのＰＵＣＣＨを用いて基地局１００へ送信する。
【００７８】
図５において、端末２００は、アンテナ２０１と、受信ＲＦ部２０２と、ＣＰ除去部２０３と、ＦＦＴ部２０４と、分離部２０５と、設定情報受信部２０６と、ＰＤＣＣＨ受信部２０７と、ＰＤＳＣＨ受信部２０８と、変調部２０９，２１０と、ＤＦＴ部２１１と、マッピング部２１２と、ＩＦＦＴ部２１３と、ＣＰ付加部２１４と、送信ＲＦ部２１５とを有する。
【００７９】
受信ＲＦ部２０２は、設定情報受信部２０６から受け取る帯域情報に基づいて、受信帯域を設定する。受信ＲＦ部２０２は、アンテナ２０１を介して受信帯域で受信した無線信号（ここでは、ＯＦＤＭ信号）に対して受信無線処理（ダウンコンバート、アナログディジタル（Ａ／Ｄ）変換など）を施し、得られた受信信号をＣＰ除去部２０３に出力する。なお、受信信号には、ＰＤＳＣＨ信号、ＰＤＣＣＨ信号、および、設定情報を含む上位レイヤの制御情報が含まれる。また、ＰＤＣＣＨ信号（割当制御情報）は、端末２００および他の端末に対して単位キャリア毎に設定された共通のサーチスペース（Ｃ−ＳＳ）、または、端末２００に対して単位キャリア毎に設定された個別のサーチスペース（ＵＥ−ＳＳ）に割り当てられている。
【００８０】
ＣＰ除去部２０３は、受信信号からＣＰを除去し、ＦＦＴ部２０４は、ＣＰ除去後の受信信号を周波数領域信号に変換する。この周波数領域信号は、分離部２０５に出力される。
【００８１】
分離部２０５は、ＦＦＴ部２０４から受け取る信号を、設定情報を含む上位レイヤの制御信号（例えば、RRC signaling等）と、ＰＤＣＣＨ信号と、データ信号（つまり、ＰＤＳＣＨ信号）とに分離する。そして、分離部２０５は、制御信号を設定情報受信部２０６に出力し、ＰＤＣＣＨ信号をＰＤＣＣＨ受信部２０７に出力し、ＰＤＳＣＨ信号をＰＤＳＣＨ受信部２０８に出力する。なお、設定情報を含む上位レイヤの制御信号がＰＤＳＣＨを通して送信される場合には、分離部２０５は、ＰＤＳＣＨ受信部２０８で受信した後の信号から、設定情報を抽出する。
【００８２】
設定情報受信部２０６は、分離部２０５から受け取る制御信号から、次の情報を読み取る。すなわち、この読み取られる情報は、自端末に設定された上り単位キャリアおよび下り単位キャリアを示す情報、自端末に設定された端末ＩＤを示す情報、自端末に設定された単位キャリアごとのPDCCH CCを示す情報、及び自端末に設定された送信モードを示す情報である。
【００８３】
そして、自端末に設定された上り単位キャリアおよび下り単位キャリアを示す情報は、帯域情報としてＰＤＣＣＨ受信部２０７、受信ＲＦ部２０２および送信ＲＦ部２１５に出力される。また、自端末に設定された端末ＩＤを示す情報は、端末ＩＤ情報としてＰＤＣＣＨ受信部２０７に出力される。また、自端末に設定された単位キャリアごとのPDCCH CCを示す情報は、PDCCH CC情報としてＰＤＣＣＨ受信部２０７に出力される。また、自端末に設定された送信モードを示す情報は、送信モード情報としてＰＤＣＣＨ受信部２０７に出力される。
【００８４】
ＰＤＣＣＨ受信部２０７は、分離部２０５から入力されるＰＤＣＣＨ信号をブラインド復号（モニタ）して、自端末宛てのＰＤＣＣＨ信号を得る。ここで、ＰＤＣＣＨ受信部２０７は、全端末共通のデータ割当向けのＤＣＩフォーマット（例えば、ＤＣＩ  ０／１Ａ）、自端末に設定された送信モード依存のＤＣＩフォーマット（例えば、ＤＣＩ  １，２，２Ａ，０Ａ，０Ｂ）および全端末共通の共通チャネル割当向けのＤＣＩフォーマット（例えば、ＤＣＩ  １Ｃ，１Ａ）のそれぞれに対して、ブラインド復号する。これにより、各ＤＣＩフォーマットの割当制御情報を含むＰＤＣＣＨ信号が得られる。
【００８５】
具体的には、ＰＤＣＣＨ受信部２０７は、自端末に設定されているUE CC setに含まれる下り単位キャリア単位(つまり、データ割り当て対象の単位キャリア単位)で、以下のブラインド復号処理を行う。
【００８６】
（１）ＰＤＣＣＨ受信部２０７は、まず、ブラインド復号対象の下り単位キャリアについて設定情報受信部２０６から受け取るPDCCH CC情報の示すPDCCH CC（１つまたは複数のPDCCH CC）のＣ−ＳＳに対して、共通チャネル割当向けのＤＣＩフォーマット（ＤＣＩ  １Ｃ，１Ａ）および全端末共通のデータ割当向けＤＣＩフォーマット（ＤＣＩ  ０／１Ａ）のブラインド復号を行う。すなわち、ＰＤＣＣＨ受信部２０７は、Ｃ−ＳＳ内の各ブラインド復号領域候補（つまり、端末２００に割り当てられるＣＣＥ領域の候補）について、共通チャネル割当向けのＤＣＩフォーマットのサイズ、および、全端末共通のデータ割当向けのＤＣＩフォーマットのサイズを対象として、復調および復号する。復号後のＰＤＣＣＨ信号に対して、複数の端末の間で共通のＩＤによってＣＲＣビットをデマスキングする。そして、ＰＤＣＣＨ受信部２０７は、デマスキングの結果、ＣＲＣ＝ＯＫ（誤り無し）となったＰＤＣＣＨ信号を、共通チャネル向けの割当制御情報が含まれるＰＤＣＣＨ信号であると判定する。また、ＰＤＣＣＨ受信部２０７は、復号後のＰＤＣＣＨ信号に対して、端末ＩＤ情報が示す自端末の端末ＩＤによってＣＲＣビットをデマスキングする。そして、ＰＤＣＣＨ受信部２０７は、デマスキングの結果、ＣＲＣ＝ＯＫ（誤り無し）となったＰＤＣＣＨ信号を、全端末共通のデータ割当向けの割当制御情報が含まれるＰＤＣＣＨ信号であると判定する。すなわち、ＰＤＣＣＨ受信部２０７は、Ｃ−ＳＳでは、ＤＣＩ  ０／１Ａの割当制御情報が共通チャネル向けであるか又はデータ割当向けであるかを、端末ＩＤ（複数の端末の間で共通のＩＤ、または、端末２００の端末ＩＤ）によって区別する。
【００８７】
（２）ＰＤＣＣＨ受信部２０７は、ブラインド復号対象の下り単位キャリアに対するPDCCH CCが１つの場合（つまり、ブラインド復号対象の下り単位キャリアが第１種単位キャリアの場合）には、設定情報受信部２０６から受け取る端末ＩＤ情報の示す自端末の端末ＩＤを用いて、自端末のＵＥ−ＳＳを、各ＣＣＥ連結数に対してそれぞれ算出する。そして、ＰＤＣＣＨ受信部２０７は、算出したＵＥ−ＳＳ内の各ブラインド復号領域候補について、自端末に設定された送信モード（送信モード情報に示される送信モード）に対応したＤＣＩフォーマットのサイズおよび全端末共通のＤＣＩフォーマット（ＤＣＩ  ０／１Ａ）のサイズを対象として、復調および復号する。そして、ＰＤＣＣＨ受信部２０７は、復号後のＰＤＣＣＨ信号に対して、自端末の端末ＩＤでＣＲＣビットをデマスキングする。そして、ＰＤＣＣＨ受信部２０７は、デマスキングの結果、ＣＲＣ＝ＯＫ（誤り無し）となったＰＤＣＣＨ信号を、自端末宛てのＰＤＣＣＨ信号であると判定する。
【００８８】
（３）ＰＤＣＣＨ受信部２０７は、ブラインド復号対象の下り単位キャリアに対するPDCCH CCが複数在る場合（つまり、ブラインド復号対象の下り単位キャリアが第２種単位キャリアの場合）には、各PDCCH CCにおいて、設定情報受信部２０６から受け取る端末ＩＤ情報の示す自端末の端末ＩＤを用いて、自端末のＵＥ−ＳＳを、各ＣＣＥ連結数に対してそれぞれ算出する。そして、ＰＤＣＣＨ受信部２０７は、複数のPDCCH CCの内、ブラインド復号対象の下り単位キャリアでは、算出したＵＥ−ＳＳ内の各ブラインド復号領域候補について、自端末に設定された送信モードに対応したＤＣＩフォーマットのサイズのみを対象として、復調および復号する。また、ＰＤＣＣＨ受信部２０７は、複数のPDCCH CCの内、ブラインド復号対象の下り単位キャリアと異なるPDCCH CCでは、算出したＵＥ−ＳＳ内の各ブラインド復号領域候補について、全端末共通のＤＣＩフォーマット（ＤＣＩ  ０／１Ａ）のサイズのみを対象として、復調および復号する。
すなわち、ＰＤＣＣＨ受信部２０７は、複数のPDCCH CCが設定されている、ブラインド復号対象の下り単位キャリアに対しては、各PDCCH CCのＣ−ＳＳ及びそのブラインド復号対象の下り単位キャリアと異なる下り単位キャリアで自端末に設定されたＵＥ−ＳＳにおいて、全端末共通のＤＣＩフォーマット（ＤＣＩ  ０／１Ａ）のサイズのみをブラインド復号する。また、ＰＤＣＣＨ受信部２０７は、複数のPDCCH CCが設定されている、ブラインド復号対象の下り単位キャリアで自端末に設定されたＵＥ−ＳＳにおいて、自端末に設定された送信モードに対応したＤＣＩフォーマットのサイズのみをブラインド復号する。そして、ＰＤＣＣＨ受信部２０７は、復号後のＰＤＣＣＨ信号に対して、自端末の端末ＩＤでＣＲＣビットをデマスキングする。そして、ＰＤＣＣＨ受信部２０７は、デマスキングの結果、ＣＲＣ＝ＯＫ（誤り無し）となったＰＤＣＣＨ信号を、自端末宛てのＰＤＣＣＨ信号であると判定する。
【００８９】
そして、ＰＤＣＣＨ受信部２０７は、自端末宛てのＰＤＣＣＨ信号に含まれる下りリソース割当情報をＰＤＳＣＨ受信部２０８に出力し、上りリソース割当情報をマッピング部２１２に出力する。また、ＰＤＣＣＨ受信部２０７は、自端末宛てのＰＤＣＣＨ信号が検出されたＣＣＥ（ＣＲＣ＝ＯＫとなるＣＣＥ）のＣＣＥ番号（ＣＣＥ連結数が複数の場合は先頭のＣＣＥのＣＣＥ番号）をマッピング部２１２に出力する。なお、ＰＤＣＣＨ受信部２０７におけるブラインド復号（モニタ）処理の詳細については後述する。
【００９０】
ＰＤＳＣＨ受信部２０８は、ＰＤＣＣＨ受信部２０７から受け取る下りリソース割当情報に基づいて、分離部２０５から受け取るＰＤＳＣＨ信号から、受信データ（下り回線データ）を抽出する。また、ＰＤＳＣＨ受信部２０８は、抽出した受信データ（下り回線データ）に対して誤り検出を行う。そして、ＰＤＳＣＨ受信部２０８は、誤り検出の結果、受信データに誤りがある場合には、ＡＣＫ／ＮＡＣＫ信号としてＮＡＣＫ信号を生成し、受信データに誤りが無い場合には、ＡＣＫ／ＮＡＣＫ信号としてＡＣＫ信号を生成する。このＡＣＫ／ＮＡＣＫ信号は、変調部２０９に出力される。
【００９１】
変調部２０９は、ＰＤＳＣＨ受信部２０８から受け取るＡＣＫ／ＮＡＣＫ信号を変調し、変調後のＡＣＫ／ＮＡＣＫ信号をＤＦＴ部２１１に出力する。
【００９２】
変調部２１０は、送信データ（上り回線データ）を変調し、変調後のデータ信号をＤＦＴ部２１１に出力する。
【００９３】
ＤＦＴ部２１１は、変調部２０９から受け取るＡＣＫ／ＮＡＣＫ信号および変調部２１０から受け取るデータ信号を周波数領域に変換し、得られる複数の周波数成分をマッピング部２１２に出力する。
【００９４】
マッピング部２１２は、ＰＤＣＣＨ受信部２０７から受け取る上りリソース割当情報に従って、ＤＦＴ部２１１から受け取る複数の周波数成分のうち、データ信号に相当する周波数成分を、上り単位キャリアに配置されたＰＵＳＣＨにマッピングする。また、マッピング部２１２は、ＰＤＣＣＨ受信部２０７から受け取るＣＣＥ番号に従ってＰＵＣＣＨを特定する。そして、マッピング部２１２は、ＤＦＴ部２１１から入力される複数の周波数成分のうち、ＡＣＫ／ＮＡＣＫ信号に相当する周波数成分またはコードリソースを、上記特定したＰＵＣＣＨにマッピングする。なお、変調部２０９、変調部２１０、ＤＦＴ部２１１およびマッピング部２１２は、単位キャリア毎に設けられてもよい。
【００９５】
ＩＦＦＴ部２１３は、ＰＵＳＣＨにマッピングされた複数の周波数成分を時間領域波形に変換し、ＣＰ付加部２１４は、その時間領域波形にＣＰを付加する。
【００９６】
送信ＲＦ部２１５は、送信帯域を変更可能に構成されている。送信ＲＦ部２１５は、設定情報受信部２０６から受け取る帯域情報に基づいて、送信帯域を設定する。そして、送信ＲＦ部２１５は、ＣＰが付加された信号に送信無線処理（アップコンバート、ディジタルアナログ（Ｄ／Ａ）変換など）を施して、アンテナ２０１を介して送信する。
【００９７】
［基地局１００及び端末２００の動作］
以上の構成を有する基地局１００及び端末２００の動作について図６を参照して説明する。以下の説明では、説明を簡単にするために、基地局１００が端末２００に設定するUE CC setに含まれる下り単位キャリアの数が２つの場合について説明するが、この数はこれに限定されるものではない。
【００９８】
基地局１００において、ＣＣ設定部１０１は、端末２００（ＬＴＥ−Ａ端末）に対して、２つの下り単位キャリア（ＣＣ１，ＣＣ２）を設定する。また、ＣＣ設定部１０１は、ＣＣ１に対しては、PDCCH CCとしてＣＣ１を設定し、ＣＣ２に対しては、PDCCH CCとしてＣＣ１及びＣＣ２を設定する。
【００９９】
すなわち、端末２００に設定されるUE CC setに含まれる２つの下り単位キャリアの内の第１の下り単位キャリア（ＣＣ１）に対しては１つのPDCCH CCが対応付けられ、第２の下り単位キャリア（ＣＣ２）に対しては複数のPDCCH CCが対応付けられている。ここでは、特に、第１の下り単位キャリア（ＣＣ１）に対して対応付けられる１つのPDCCH CCは、第１の下り単位キャリアそのもの（ＣＣ１）であり、第２の下り単位キャリア（ＣＣ２）に対して対応付けられる複数のPDCCH CCは、第２の下り単位キャリアそのもの（ＣＣ２）と、他の下り単位キャリア（ＣＣ１）とされている。つまり、ＣＣ２に対しては追加の通知情報なく複数のＣＣのいずれかを基地局１００が選択してＰＤＣＣＨを送信できる。こうすることで、UE CC setに含まれる複数の下り単位キャリアの内の一部に対して複数のPDCCH CCを設定するので、RRCシグナリングなしで、その一部の下り単位キャリアの割当情報を送信するPDCCH CCを変更することができる。また、他の一部の下り単位キャリアに対しては１つのPDCCH CCを設定するので、PDCCHの受信側におけるブラインド復号回数の増加も抑えることができる。
【０１００】
また、サーチスペース設定部１０３は、ＣＣ１及びＣＣ２のそれぞれに対して、図４に示すサーチスペース（Ｃ−ＳＳ及びＵＥ−ＳＳ）を設定する。
【０１０１】
割当部１０８は、割当制御情報を含むＰＤＣＣＨ信号を、上記したマッピングルールに基づいてマッピングする。
【０１０２】
このマッピングにより、基地局１００は、端末２００に対してＣＣ１にデータを割り当てる場合には、ＣＣ１のＣ−ＳＳまたはＵＥ−ＳＳでＰＤＣＣＨ信号を送信する。
【０１０３】
また、このマッピングにより、基地局１００は、端末２００に対してＣＣ２にデータを割り当てる場合には、ＣＣ１のＵＥ−ＳＳ、または、ＣＣ２のＣ−ＳＳ若しくはＵＥ−ＳＳでＰＤＣＣＨ信号を送信する。ここで、ＣＣ１のＵＥ−ＳＳでＰＤＣＣＨ信号を送信する場合には、基地局１００は、割当制御情報のフォーマットとして全端末共通のフォーマット（例えば、ＤＣＩ  ０／１Ａ）を用いる。一方、ＣＣ２のＵＥ−ＳＳでＰＤＣＣＨ信号を送信する場合には、基地局１００は、割当制御情報のフォーマットとして送信モード依存のＤＣＩフォーマット（例えば、ＤＣＩ  １，２，２Ａ，０Ａ，０Ｂ）を用いる。なお、ＣＣ２のＣ−ＳＳでＰＤＣＣＨ信号を送信する場合には、基地局１００は、割当制御情報のフォーマットとして全端末共通のフォーマット（例えば、ＤＣＩ  ０／１Ａ）を用いる。
【０１０４】
これに対して、端末２００は、ＣＣ１のＵＥ−ＳＳにおいて、ＣＣ１に対する全端末共通フォーマットのサイズのＰＤＣＣＨ、ＣＣ１に対する送信モードに対応したDCIフォーマットのサイズ（上り回線向け及び下り回線向けの２種類）のＰＤＣＣＨ、及び、ＣＣ２に対する全端末共通フォーマットのサイズのＰＤＣＣＨの合計４種類をブラインド復号する。
【０１０５】
また、端末２００は、ＣＣ１のＣ−ＳＳにおいて、従来と同様に、ＣＣ１に対する全端末共通フォーマットのサイズのＰＤＣＣＨをブラインド復号する。
【０１０６】
また、端末２００は、ＣＣ２のＵＥ−ＳＳにおいて、ＣＣ２に対する送信モードに対応したDCIフォーマットのサイズのＰＤＣＣＨのみを、ブラインド復号する。
【０１０７】
また、端末２００は、ＣＣ２のＣ−ＳＳにおいて、従来と同様に、ＣＣ２に対する全端末共通フォーマットのサイズのＰＤＣＣＨをブラインド復号する。すなわち、端末２００は、ＣＣ２に対しては従来から行っていたＵＥ−ＳＳにおける全端末共通フォーマットのサイズのＰＤＣＣＨ及び送信モードに対応したDCIフォーマットのサイズのＰＤＣＣＨのブラインド復号の内、全端末共通フォーマットのサイズのＰＤＣＣＨのブラインド復号に関してはＣＣ１において行う。
【０１０８】
以上の端末２００におけるブラインド復号を纏めると、ＣＣ２の割当制御情報を含むＰＤＣＣＨに対して端末２００が行うブラインド復号の回数は、次のようになる。すなわち、ＣＣ１のＵＥ−ＳＳで全端末共通フォーマット向けに１６回、ＣＣ２のＵＥ−ＳＳで送信モードに対応したDCIフォーマット(上り回線及び下り回線の２種類)向けに３２回、ＣＣ２のＣ−ＳＳで全端末共通フォーマット向け及びＤＣＩ  １Ｃ向けに１２回の合計６０回のブラインド復号が行われる。つまり、この回数は、ブラインド復号対象の単位キャリアが第１種単位キャリアである場合のブラインド復号回数と同じとなる。
【０１０９】
以上のように本実施の形態によれば、基地局１００は、端末２００に対して複数の下り単位キャリアを用いてデータを送信する。そして、基地局１００において、ＣＣ設定部１０１は、UE CC setに含まれる各下り単位キャリアのデータ送信リソースに関する割当情報を送信する制御チャネル単位キャリア（PDCCH CC）を、そのUE CC setに含まれる複数の下り単位キャリアの中から設定する。具体的には、ＣＣ設定部１０１は、そのUE CC setに含まれる複数の下り単位キャリアの内の第１の下り単位キャリアに対しては１つの制御チャネル単位キャリア（PDCCH CC）を対応付け、第２の下り単位キャリアに対しては複数の制御チャネル単位キャリア（PDCCH CC）を対応付ける。
【０１１０】
こうすることで、UE CC setに含まれる複数の下り単位キャリアの内の一部に対して複数のPDCCH CCを設定するので、RRCシグナリングなしで、その一部の下り単位キャリアの割当情報を送信するPDCCH CCを柔軟に変更することができる。また、他の一部の下り単位キャリアに対しては１つのPDCCH CCを設定するので、PDCCHの受信側におけるブラインド復号回数の増加も抑えることができる。
【０１１１】
また、割当部１０８は、上記した第２の下り単位キャリアの割当情報が端末個別のフォーマットである第１のケースでは、上記した第２の下り単位キャリアを制御チャネル単位キャリアとしてマッピングし、第２の下り単位キャリアの割当情報が全端末に共通の共通フォーマットである第２のケースでは、第２の下り単位キャリアに対応付けられた複数の制御チャネル単位キャリアの内、第２の下り単位キャリアと異なる制御チャネル単位キャリアにマッピングする。
【０１１２】
こうすることで、第２種単位キャリアの割当情報をマッピングする制御チャネル単位キャリアを、その割当情報のフォーマットが端末個別のフォーマットであるか又は全端末に共通の共通フォーマットであるかに応じて、変えることができる。さらに、上記した第２のケースで割当情報をマッピングする制御チャネル単位キャリアを第１種単位キャリアとすることにより、PDCCHの受信側におけるブラインド復号回数の増加をさらに抑えることができる。
【０１１３】
ここで、上記したPDCCH CCの設定方法、及び、マッピングルールは、次のようなシステムに適用することにより、有利な効果を奏する。
【０１１４】
図７は、ヘテロジニアスネットワークの構成を示す図である。図７において、ヘテロジニアスネットワークには、マクロセルと、マクロセルに含まれるフェムトセル（またはピコセル）とが存在する。また、マクロ基地局（Macro eNB）は、ＣＣ１及びＣＣ２を通信に利用可能に構成されており、ＣＣ１ではＣＣ２に比べて大きな送信電力によって送信することができる。すなわち、ＣＣ１のカバレッジは、ＣＣ２のカバレッジよりも大きい。従って、ＣＣ２のカバレッジをフェムトセル外に設定することにより、マクロセルからフェムトセルへの干渉を最小限に抑えることができる。ここで、基地局１００はカバレッジが十分大きくＰＤＣＣＨを送信するＣＣを同一ＣＣから変更する必要がないＣＣ１を第１種単位キャリアに設定する一方、カバレッジが小さくＰＤＣＣＨを送信するＣＣを異なるＣＣへ変更する必要があるＣＣ２を第２種単位キャリアに設定し、そのPDCCH CCをＣＣ１及びＣＣ２に設定する。
【０１１５】
そして、端末（ＵＥ）がマクロセルの中心部に存在する場合（つまり、マクロセル基地局から送信信号のSINRが高い場合）には、ＰＤＣＣＨの受信品質も高い。このため、マクロセル基地局がＣＣ２からＰＤＣＣＨを送信しても、端末は、十分低い誤り率で、そのＰＤＣＣＨを受信することができる。ここで、セル中心部ではSINRが高いため、干渉耐性は強くないが高スループット伝送を実現できる送信モード(例えば、MIMO)を選択することができる。従って、送信モードに応じたDCIフォーマットが採用される可能性が高く、上記したマッピングルールによれば、ＣＣ２のＰＤＣＣＨによってデータ割り当てが、為される可能性が高い。
【０１１６】
一方、端末がマクロセルのセル端に存在する場合（つまり、マクロセル基地局からの送信信号のSINRが低い場合）には、PDCCHの受信品質も低い。このため、マクロセル基地局がＣＣ２からＰＤＣＣＨを送信しても、端末は、十分低い誤り率で受信することができない。従って、この場合には、マクロセル基地局は、ＣＣ１のＰＤＣＣＨによってデータ割り当てを行う必要がある。ここで、セル端ではSINRが低いため、よりロバストな送信方法が採用される可能性が高い。すなわち、マクロセル基地局は、セル端の端末に対しては、ＣＣ１からＤＣＩ  ０／１Ａによってデータ割り当てすることにより、送信ダイバーシチによる送信を行う可能性が高い。
【０１１７】
従って、マクロセル基地局がＣＣ２を第２種単位キャリアに設定すると共に上記したマッピングルールを用いることにより、受信側である端末にとってはセル中心部に存在する場合でもセル端に存在する場合でも使用される可能性が高いDCIフォーマットを各ＣＣでモニタすることができ、基地局にとっては所望のDCIフォーマットを所望のＣＣから送信できなくなる可能性が低い。つまり、端末に対するデータ割り当てがブロックされる確率は低い。また、端末がセル中心部からセル端へ移動した場合でもＲＲＣシグナリングなしでＣＣ２に対してＰＤＣＣＨを送信するＣＣをＣＣ２からＣＣ１へ変更（セル端からセル中心部へ移動する場合はＣＣ１からＣＣ２へ変更）することができる。
【０１１８】
また、セル中心部の端末へはＣＣ２のＰＤＣＣＨによってデータ割り当てを行い、セル端の端末へはＣＣ１のＰＤＣＣＨによってデータ割り当てを行うことにより、ＰＤＣＣＨのロードバランス、つまり、ＰＤＣＣＨを各ＣＣに均等にマッピングすることが可能である。つまり、特定のＣＣにＰＤＣＣＨが偏ることにより、限られたＰＤＣＣＨ送信リソース領域内(先頭３ＯＦＤＭシンボル以内)でＰＤＣＣＨが送信できなくなることを防ぐことができる。なお、ヘテロジニアスネットワーク以外のネットワークであっても、本発明は適用することができる。
【０１１９】
なお、上記の説明において、ＣＣ１では、ＣＣ１向けのＰＤＣＣＨ及びＣＣ２向けのＰＤＣＣＨが送信されるが、両者に対して同一のＵＥ−ＳＳを設定してもよいし、互いに異なるＵＥ−ＳＳを設定してもよい。互いに異なるＵＥ−ＳＳを設定する場合には、サーチスペース設定部１０３は、端末ＩＤ及びＣＣ番号に対応したＵＥ−ＳＳを設定する。互いに異なるＵＥ−ＳＳを設定することにより、２つのＰＤＣＣＨに対するＣＣＥ割り当ての自由度が向上する。
【０１２０】
［実施の形態２］
実施の形態２では、上記した第１のケースと第２のケースとで、ＰＤＣＣＨが異なるサブセットにマッピングされる。各端末に対して個別に設定されるサーチスペースが、複数のサブセットを含んでいる。
【０１２１】
実施の形態２に係る基地局及び端末の基本構成は、実施の形態１と共通するので、図３及び図５を援用して説明する。
【０１２２】
実施の形態２の基地局１００において、サーチスペース設定部１０３は、第２種単位キャリアの各PDCCH CCにおいては、ＵＥ−ＳＳ（UE-SS0）が分割された、Ｎ（Ｎは、２以上の自然数）個のサブセットを設定する。Ｎは、その第２種単位キャリアに設定されるPDCCH CCの数に対応する。すなわち、図８に示すサブセットの例では、第２種単位キャリアに設定されるPDCCH CCの数が２つの場合が示されている。
【０１２３】
そして、割当部１０８は、１つの第２種単位キャリアに対応付けられた複数のPDCCH CCにおいて、ＰＤＣＣＨ信号をＵＥ−ＳＳにマッピングする場合には、互いに異なるサブセットにマッピングする。
【０１２４】
実施の形態２の端末２００において、ＰＤＣＣＨ受信部２０７は、ブラインド復号対象の単位キャリアが第１種単位キャリアの場合には、算出したＵＥ−ＳＳ内の各ブラインド復号領域候補について、ブラインド復号を行う。
【０１２５】
また、ＰＤＣＣＨ受信部２０７は、ブラインド復号対象の単位キャリアが第２種単位キャリアの場合には、算出したＵＥ−ＳＳ内の複数のサブセットの内の１つのサブセット内の各ブラインド復号領域候補について、ブラインド復号を行う。
【０１２６】
以上の構成を有する基地局１００及び端末２００の動作について図９を参照して説明する。以下の説明では、説明を簡単にするために、基地局１００が端末２００に設定するUE CC setに含まれる下り単位キャリアの数が２つの場合について説明するが、この数はこれに限定されるものではない。
【０１２７】
基地局１００において、サーチスペース設定部１０３は、第２種単位キャリアであるＣＣ２の各PDCCH CC（CC1及びCC2）においては、ＵＥ−ＳＳ（UE-SS0）が分割された、２つのサブセット（ＵＥ−ＳＳ１およびＵＥ−ＳＳ２）を設定する。
【０１２８】
そして、割当部１０８は、ＣＣ２のPDCCH CCであるＣＣ１及びＣＣ２のそれぞれにおいて、ＰＤＣＣＨ信号をＵＥ−ＳＳにマッピングする場合には、互いに異なるサブセットにマッピングする。ここでは、ＣＣ１では、ＵＥ−ＳＳ１にＰＤＣＣＨ信号がマッピングされ、ＣＣ２では、ＵＥ−ＳＳ２にＰＤＣＣＨ信号がマッピングされる。
【０１２９】
ここで、図８のサーチスペースの設定例では、ＣＣＥ連結数１に対して、６つのPDCCH割当領域候補（つまり、ＣＣＥ１６〜２１のそれぞれ）が、ＵＥ−ＳＳとして設定されている。また、ＣＣＥ連結数２に対して、６つのPDCCH割当領域候補（つまり、ＣＣＥ６〜１７を２つずつ分割したもの）が、ＵＥ−ＳＳとして設定されている。また、ＣＣＥ連結数４に対して、２つのPDCCH割当領域候補（つまり、ＣＣＥ２０〜２３，ＣＣＥ２４〜２７）が、ＵＥ−ＳＳとして設定されている。また、ＣＣＥ連結数８に対して、２つのPDCCH割当領域候補（つまり、ＣＣＥ１６〜２３，ＣＣＥ２４〜３１）が、ＵＥ−ＳＳとして設定されている。すなわち、図８では、合計１６個のPDCCH割当領域候補が、ＵＥ−ＳＳとして設定されている。
【０１３０】
さらに、図８では、ＵＥ−ＳＳに、ＵＥ−ＳＳ１およびＵＥ−ＳＳ２が設定されている。そして、ＵＥ−ＳＳ１は、ＣＣＥ連結数１、ＣＣＥ連結数２、ＣＣＥ連結数４、ＣＣＥ連結数８に対してそれぞれ２つのPDCCH割当領域候補の合計８つのPDCCH割当領域候補を有している。一方、ＵＥ−ＳＳ２は、ＣＣＥ連結数１、ＣＣＥ連結数２に対してそれぞれ４つのPDCCH割当領域候補の合計８つのPDCCH割当領域候補を有している。
【０１３１】
これに対して、端末２００は、ＣＣ２を割当対象とするＰＤＣＣＨをブラインド復号する場合、ＣＣ１では、ＵＥ−ＳＳ１をブラインド復号し、ＣＣ２では、ＵＥ−ＳＳ１及びＣ−ＳＳをブラインド復号する。ここで、すべてのサーチスペースにおいて、全端末共通のフォーマット（例えば、ＤＣＩ  ０／１Ａ）及び送信モードに対応したDCIフォーマット（上り回線及び下り回線）に対して、ブラインド復号を行う。
【０１３２】
以上の端末２００におけるブラインド復号を纏めると、ＣＣ２の割当制御情報を含むＰＤＣＣＨに対して端末２００が行うブラインド復号の回数は、次のようになる。すなわち、ＣＣ１のＵＥ−ＳＳで、全端末共通フォーマット向けに８回及び送信モードに対応したDCIフォーマット(上り回線及び下り回線の２種類)向けに１６回の合計２４回、ＣＣ２のＵＥ−ＳＳで、全端末共通フォーマット向けに８回及び送信モードに対応したDCIフォーマット(上り回線及び下り回線の２種類)向けに１６回の合計２４回、ＣＣ２のＣ−ＳＳで全端末共通フォーマット向け及びＤＣＩ  １Ｃ向けに１２回の合計６０回のブラインド復号が行われる。つまり、この回数は、ブラインド復号対象の単位キャリアが第１種単位キャリアである場合のブラインド復号回数と同じとなる。
【０１３３】
以上のように本実施の形態によれば、実施の形態１と同様に、基地局１００は、端末２００に対して複数の下り単位キャリアを用いてデータを送信する。そして、基地局１００において、ＣＣ設定部１０１は、UE CC setに含まれる各下り単位キャリアのデータ送信リソースに関する割当情報を送信する制御チャネル単位キャリア（PDCCH CC）を、そのUE CC setに含まれる複数の下り単位キャリアの中から設定する。具体的には、ＣＣ設定部１０１は、そのUE CC setに含まれる複数の下り単位キャリアの内の第１の下り単位キャリアに対しては１つの制御チャネル単位キャリア（PDCCH CC）を対応付け、第２の下り単位キャリアに対しては複数の制御チャネル単位キャリア（PDCCH CC）を対応付ける。
【０１３４】
こうすることで、UE CC setに含まれる複数の下り単位キャリアの内の一部に対して複数のPDCCH CCを設定するので、RRCシグナリングなしで、その一部の下り単位キャリアの割当情報を送信するPDCCH CCを柔軟に変更することができる。また、他の一部の下り単位キャリアに対しては１つのPDCCH CCを設定するので、PDCCHの受信側におけるブラインド復号回数の増加も抑えることができる。
【０１３５】
また、割当部１０８は、上記した第２の下り単位キャリアの割当情報が端末個別のフォーマットである第１のケースでは、上記した第２の下り単位キャリアを制御チャネル単位キャリアとしてマッピングし、第２の下り単位キャリアの割当情報が全端末に共通の共通フォーマットである第２のケースでは、第２の下り単位キャリアに対応付けられた複数の制御チャネル単位キャリアの内、第２の下り単位キャリアと異なる制御チャネル単位キャリアにマッピングする。
【０１３６】
また、上記した図８のサーチスペースの設定例では、上記した第２のケースでＰＤＣＣＨ信号がマッピングされるＵＥ−ＳＳ１には、基準レベル（ここでは、ＣＣＥ連結数＝２）以下のＣＣＥ連結数に対応するPDCCH割当領域候補群の一部のみが割り当てられ、上記した第１のケースでＰＤＣＣＨ信号がマッピングされるＵＥ−ＳＳ２には、残りのPDCCH割当領域候補群が割り当てられている。
【０１３７】
以上のPDCCH CCの設定方法、及び、マッピングルールは、図７に示したシステムに適用することにより、有利な効果を奏する。
【０１３８】
ヘテロジニアスネットワークにおいて、端末（ＵＥ）がマクロセルの中心部に存在する場合（つまり、マクロセル基地局から送信信号のSINRが高い場合）には、ＰＤＣＣＨの受信品質も高い。このため、マクロセル基地局がＣＣ２からＰＤＣＣＨを送信する場合に、少ないＣＣＥ連結数で（つまり、低い符号化率で）送信しても、端末は、所望の誤り率でＰＤＣＣＨ信号を受信することができる。したがって、上記した第１のケースでＰＤＣＣＨ信号がマッピングされるＵＥ−ＳＳ２のPDCCH割当領域候補を、少ないＣＣＥ連結数（つまり１ＣＣＥ及び２ＣＣＥ）のみに制限しても、マクロセル基地局は、十分柔軟にＰＤＣＣＨを割り当てることができる。
【０１３９】
一方、マクロセル基地局がＣＣ１からＰＤＣＣＨを送信する必要がある場合には、端末がマクロセルのセル端に存在する場合など、SINRが低い場合が多い。このとき、上記した第２のケースでＰＤＣＣＨ信号がマッピングされるＵＥ−ＳＳ１において、多いＣＣＥ連結数に対応するPDCCH割当領域候補の数をLTEと同等にしておけば、少ないＣＣＥ連結数に対応するPDCCH割当領域候補を減らしても、マクロセル基地局は、十分柔軟にＰＤＣＣＨを割り当てることができる。
【０１４０】
また、ＣＣ２で多くのＣＣＥ連結数を必要とする場合には、ＣＣ１から送信する方がより少ないＣＣＥ連結数で高信頼度の送信が可能である。このため、ＣＣ１においても、少ないＣＣＥ連結数についてもブラインド復号候補とする。
【０１４１】
このように、より使われる可能性の高いＣＣＥ連結数のブラインド復号回数を十分な数に設定し、それ以外のＣＣＥ連結数のブラインド復号回数を削減することにより、ＰＤＣＣＨ割り当ての柔軟性を損なうことなく、複数の単位キャリアからのＰＤＣＣＨ送信が可能となる。
【０１４２】
また、ＵＥ−ＳＳは、ＬＴＥで決められているものと同様である。このＵＥ−ＳＳを分割したそれぞれをサブセットとして設定するため、端末２００は第１種単位キャリアの場合と同じブラインド復号領域候補に対してブラインド復号を行えば良い。従って、端末２００の設計が簡易となる。また、ＬＴＥのＵＥ−ＳＳを端末ＩＤなどから算出すると、サブセットも暗示的に算出される。従って、新たなサーチスペースの設定が不要となり、さらに基地局１００および端末２００の簡素化が可能となる。
【０１４３】
なお、サブセットの設定は、次のように行われても良い。
【０１４４】
（１）例えば、ＵＥ−ＳＳ１には、ＣＣＥ連結数１、ＣＣＥ連結数２、ＣＣＥ連結数４、ＣＣＥ連結数８に対して、PDCCH割当領域候補を、０，０，４，４個だけ設定し、ＵＥ−ＳＳ２には、４，４，０，０個だけ設定しても良い。この場合、ＵＥ−ＳＳ１には、多いＣＣＥ連結数に対応するPDCCH割当領域候補が多く含まれる。従って、マクロセル基地局がＣＣ１からＰＤＣＣＨを送信する場合（つまり、セル端に存在する端末向けにＰＤＣＣＨを送信する場合）のＰＤＣＣＨ割り当ての柔軟性を向上できる。
【０１４５】
（２）また、ユーザ数が多い環境などでは、すべてのセル端の端末向けに、ＣＣ１からＣＣ１，ＣＣ２の両方のＰＤＣＣＨを送信すると、ＣＣ１のＰＤＣＣＨ容量が足りなくなる可能性がある。このため、セル端に存在する端末に対しても、ある程度、ＣＣ２から十分な数のPDCCHを送信できるようにする必要がある。このために、ＵＥ−ＳＳ１では、少ないＣＣＥ連結数ほどPDCCH割当領域候補を多くし、ＵＥ−ＳＳ２では、多いＣＣＥ連結数ほどPDCCH割当領域候補を多くしても良い。例えば、ＵＥ−ＳＳ１には、ＣＣＥ連結数１、ＣＣＥ連結数２、ＣＣＥ連結数４、ＣＣＥ連結数８に対して、PDCCH割当領域候補を、６，４，０，０個だけ設定し、ＵＥ−ＳＳ２には、０，２，２，２個だけ設定しても良い。
【０１４６】
（３）また、ＣＣ１及びＣＣ２のそれぞれに設定されるサブセットの構成（つまり、各ＣＣＥ連結数に対応付けられるPDCCH割当領域候補の数）は、運用シナリオに応じて設定可能（Configurable）にしても良い。この場合、サブセットの構成は上位レイヤの制御情報として、セルごとに報知情報として報知してもよいし、端末ごとに個別に設定および通知してもよい。
【０１４７】
［実施の形態３］
実施の形態３では、実施の形態１と異なるマッピングルールが適用される。
【０１４８】
実施の形態３に係る基地局及び端末の基本構成は、実施の形態１と共通するので、図３及び図５を援用して説明する。
【０１４９】
実施の形態３の基地局１００において、割当部１０８は、マッピングルール２に従って、割当制御情報を含むＰＤＣＣＨ信号をマッピングする。
【０１５０】
具体的には、上記マッピングルール２は、次の通りである。
【０１５１】
（１）マッピング対象のＰＤＣＣＨ信号に含まれる、端末個別のデータ割当向けの割当制御情報によってリソースが割り当てられる対象単位キャリアが、第２種単位キャリアであり、且つ、その割当制御情報のフォーマットが、送信モード依存のＤＣＩフォーマット（例えば、ＤＣＩ  １，２，２Ａ，０Ａ，０Ｂ）である場合：
この場合には、その対象単位キャリアにおいて割当対象端末に対して設定されたＵＥ−ＳＳに、ＰＤＣＣＨ信号がマッピングされる。
【０１５２】
（２）マッピング対象のＰＤＣＣＨ信号に含まれる、端末個別のデータ割当向けの割当制御情報によってリソースが割り当てられる対象単位キャリアが、第２種単位キャリアであり、且つ、全端末共通のフォーマット（例えば、ＤＣＩ  ０／１Ａ）である場合：
この場合には、その対象単位キャリアに設定されたPDCCH CCにおいて割当対象端末に対して設定されたＵＥ−ＳＳ、又は、その対象単位キャリアのＣ−ＳＳに、ＰＤＣＣＨ信号がマッピングされる。また、割当部１０８は、パディング部を含み、ＰＤＣＣＨ信号を対象単位キャリアと異なるPDCCH CCにマッピングする場合には、そのＰＤＣＣＨ信号に含まれる割当制御情報に対してパディング、つまり既知ビットの挿入を行う。これにより、パディングされた割当制御情報は、第１種単位キャリアが対象単位キャリアである場合の全端末共通のフォーマットと同一サイズとされる。
【０１５３】
実施の形態３の端末２００において、ＰＤＣＣＨ受信部２０７は、自端末に設定されているUE CC setに含まれる下り単位キャリア単位(つまり、データ割り当て対象の単位キャリア単位)で、ブラインド復号処理を行う。
【０１５４】
このとき、上述の通り、第１種単位キャリアにおいて、その第１種単位キャリアの割当に関係する全端末共通のフォーマットの割当制御情報と、第２種単位キャリアの割当に関係する全端末共通のフォーマットの割当制御情報とのサイズがパディングによって揃えられている。これにより、端末２００におけるブラインド復号回数の増加を抑えることができる。
【０１５５】
以上の構成を有する基地局１００及び端末２００の動作について図１０を参照して説明する。以下の説明では、説明を簡単にするために、基地局１００が端末２００に設定するUE CC setに含まれる下り単位キャリアの数が２つの場合について説明するが、この数はこれに限定されるものではない。
【０１５６】
基地局１００において、ＣＣ設定部１０１は、端末２００（ＬＴＥ−Ａ端末）に対して、２つの下り単位キャリア（ＣＣ１，ＣＣ２）を設定する。また、ＣＣ設定部１０１は、ＣＣ１に対しては、PDCCH CCとしてＣＣ１を設定し、ＣＣ２に対しては、PDCCH CCとしてＣＣ１及びＣＣ２を設定する。
【０１５７】
すなわち、端末２００に設定されるUE CC setに含まれる２つの下り単位キャリアの内の第１の下り単位キャリア（ＣＣ１）に対しては１つのPDCCH CCが対応付けられ、第２の下り単位キャリア（ＣＣ２）に対しては複数のPDCCH CCが対応付けられている。
【０１５８】
割当部１０８は、割当制御情報を含むＰＤＣＣＨ信号を、上記したマッピングルール２に基づいてマッピングする。
【０１５９】
このマッピングにより、基地局１００は、端末２００に対してＣＣ２にデータを割り当て、且つ、ＣＣ２のＵＥ−ＳＳでＰＤＣＣＨ信号を送信する場合には、送信モードに対応したDCIフォーマット、または、全端末共通のフォーマットを用いる。
【０１６０】
また、このマッピングにより、基地局１００は、端末２００に対してＣＣ２にデータを割り当て、且つ、ＣＣ１のＵＥ−ＳＳでＰＤＣＣＨ信号を送信する場合には、全端末共通のフォーマットのフォーマットを用いる。さらに、基地局１００は、ＣＣ１のデータ送信リソースの割当制御情報に用いられる全端末共通のフォーマットと同一サイズとなるように、ＣＣ２のデータ送信リソースの割当制御情報に用いられる全端末共通のフォーマットに対してパディングを施す。例えば、ＣＣ１の帯域幅がＣＣ２の帯域幅より大きい場合には、ＣＣ１の方がＣＣ２よりも、ＤＣＩ  ０／１Ａのサイズは大きくなる。この場合、ＣＣ２のＤＣＩ  ０／１Ａに対してPaddingを施し、そのサイズを同一にする。逆の場合も同様に、ＣＣ１のＤＣＩ  ０／１Ａに対して、Paddingを施す。
【０１６１】
これに対して、端末２００は、ＣＣ１のＵＥ−ＳＳで行うＤＣＩ  ０／１Ａに対するブラインド復号時に、ＣＣ２のＤＣＩ  ０／１ＡをフォーマットとするＰＤＣＣＨも同時に検出できる。このため、実施の形態１のブラインド復号回数と比べても、回数が増えることはない。
【０１６２】
以上の端末２００におけるブラインド復号を纏めると、ＣＣ２の割当制御情報を含むＰＤＣＣＨに対して端末２００が行うブラインド復号の回数は、次のようになる。すなわち、ＣＣ２のＵＥ−ＳＳで全端末共通フォーマット向け及び送信モードに対応したDCIフォーマット(上り回線及び下り回線の2種類)向けに合計４８回、ＣＣ２のＣ−ＳＳで全端末共通フォーマット向け及びＤＣＩ  １Ｃ向けに１２回の合計６０回のブラインド復号が行われる。つまり、この回数は、ブラインド復号対象の単位キャリアが第１種単位キャリアである場合のブラインド復号回数と同じとなる。
【０１６３】
このように、実施の形態１と同様に、UE CC setに含まれる複数の下り単位キャリアの内の一部（ここでは、Ｃ２）に対して複数のPDCCH CCを設定するので、RRCシグナリングなしで、その一部の下り単位キャリアの割当情報を送信するPDCCH CCを柔軟に変更することができる。また、他の一部の下り単位キャリア（ここでは、ＣＣ１）に対しては１つのPDCCH CCを設定するので、PDCCHの受信側におけるブラインド復号回数の増加も抑えることができる。
【０１６４】
また、実施の形態１と同様に、ＣＣ１のＰＤＣＣＨによるＣＣ２へのデータ割当に関する通知は、セル端の端末へデータ割当を行うために、主に用いられる。このため、デフォルトモード（つまり、ロバストな送信のモード）が適用される場合にデータ送信の割り当てに用いられるＤＣＩ  ０／１Ａを用いることができるだけで十分である。つまり、端末に設定した送信モードに対応するDCIフォーマットを送信できなくても、その影響は小さい。
【０１６５】
なお、上記したパディングによるオーバーヘッド増加を避けるために、ＣＣ１の帯域幅がＣＣ２よりも大きい場合にのみ、ＣＣ１からＤＣＩ  ０／１Ａが送信されるようにしても良い。
【０１６６】
［他の実施の形態］
（１）上記各実施の形態では、ＣＣ設定部１０１は、ＣＣ２に対してPDCCH CCをＣＣ１とＣＣ２とに設定した。これに対して、例えば、セル中心部のほとんど移動しない端末に対しては、ＣＣ２のPDCCH CCをＣＣ２に設定し、セル端のほとんど移動しない端末に対しては、ＣＣ２のPDCCH CCをＣＣ１に設定し、移動速度の高い端末に対してのみＣＣ２に対してPDCCH CCとしてＣＣ１及びＣＣ２を設定するようにしても良い。この場合、ほとんど移動しない各端末２００に対してＰＤＣＣＨ送信により適したＣＣから、ＤＣＩ  ０／１Ａ及び送信モードに対応したDCIフォーマットを送信することが可能となり、ＣＣ１からのＰＤＣＣＨ送信が集中することを防ぐことができる。つまり、ＣＣごとにPDCCH CCの数を選択可能にすることにより、ＰＤＣＣＨのロードバランスを図ることができる。
【０１６７】
（２）上記各実施の形態では、ＣＣごとに異なるＣＣを通知するＰＤＣＣＨを送信可能にするかどうかを設定しても良い。つまり、ＣＣごとにＣＩ(Carrier Indicator)を含むＰＤＣＣＨを送信するかどうかを設定しても良い。そして、この異なるＣＣを通知可能なＣＣの設定を利用することにより、PDCCH CCの数を制御することもできる。つまり、上記の説明において、ＣＣ１及びＣＣ２に対して異なるＣＣを通知不可と設定する場合には、各ＣＣともにPDCCH CCをそれ自体（つまり、同一ＣＣ）に設定される。また、ＣＣ１を異なるＣＣを通知可能と設定しＣＣ２を通知不可と設定する場合には、ＣＣ１のPDCCH CCはＣＣ１に設定されると共に、ＣＣ２のPDCCH CCはＣＣ１及びＣＣ２と設定される。
又は、さらに異なるＣＣ（ＣＣ３）が存在する場合などには、ＣＣ２を異なるＣＣを通知可能と設定しＣＣ１に対してＣＩの値を付与しないことにより、ＣＣ１に対するPDCCH CCをＣＣ１のみに設定するようにしても良い。この場合、ＣＩを含むかどうか又はＣＩの値を各ＣＣに付与するか否かにより、各ＣＣのPDCCH CCを設定可能となり、制御の簡素化を図ることができる。
【０１６８】
（３）上記各実施の形態では、主ＣＣ（Anchor Carrier、special carrierまたはprimary carrier）を第１種単位キャリアとし、その他のＣＣを第２種単位キャリアとしても良い。この場合、ＰＤＣＣＨの受信側である端末は、主ＣＣでは、１つのＣＣにおいてすべてのDCIフォーマット（DCI0/1A及び送信モードに対応したDCI）を、サーチスペースの全PDCCH割当領域候補で、モニタする。このため、主ＣＣでは、よりロバストなＰＤＣＣＨ割当によって安定した通信が可能となる。
なお、主ＣＣは、そのＣＣで端末にＰＤＣＣＨが届かなくなるなど同期が外れた場合に、基地局と端末とのConnection自体を再設定（RRC connection reestablish）する必要のあるＣＣとして定義される。また、主ＣＣは、上り回線でACK/NACK信号やスケジューリングリクエスト信号やCQIを送信するＣＣとして定義しても良い。また、主ＣＣは、システムで決められたもの（例えば、SCHやPBCHを送信するＣＣ）としても良いし、セル毎に端末間で共通のものを設定しても良いし、端末毎に設定しても良い。
【０１６９】
（４）上記各実施の形態では、２つ以上のＣＣを、PDCCH送信CCとして設定しても良い。ただし、ヘテロジニアスネットワークにおいては、送信電力の高い１つのＣＣとデータが割り当てられるＣＣでＰＤＣＣＨを送信できるだけで十分なので、２つまでに限定しても良い。こうして１つまたは２つに限定することにより、より簡易な設定が可能である。
【０１７０】
（５）上記各実施の形態では、上り回線のデータ割り当て対象のＣＣ、つまりPUSCH CCに対しては、上り回線のデータ割り当て対象のＣＣであるPDSCH CCとは別に、PDCCH CCを設定しても良い。これにより、Flexibilityが向上する。
【０１７１】
（６）上記各実施の形態では、ブラインド復号回数を削減するために、端末は、Ｃ−ＳＳに関しては、１つのＣＣ（例えば、主ＣＣ）のＣ−ＳＳのみをブラインド復号するようにしても良い。
【０１７２】
（７）上記したcarrier aggregationは、band aggregationと呼ばれることもある。また、carrier aggregationでは、非連続の帯域が連結されても良い。
【０１７３】
（８）上記各実施の形態における端末ＩＤには、C-RNTI（Cell-Radio Network Temporary Identifier）が用いられても良い。
【０１７４】
（９）上記した「単位キャリア」は、最大２０ＭＨｚの幅を持つ帯域であって、通信帯域の基本単位として定義したが、次のように定義されることもある。下り回線における「単位キャリア」（以下、「下り単位キャリア」という）は基地局から報知されるＢＣＨの中の下り周波数帯域情報によって区切られた帯域、または、下り制御チャネル（Physical Downlink Control Channel：ＰＤＣＣＨ）が周波数領域に分散配置される場合の分散幅によって定義される帯域として定義されることもある。また、上り回線における「単位キャリア」（以下、「上り単位キャリア」という）は、基地局から報知されるＢＣＨの中の上り周波数帯域情報によって区切られた帯域、または、中心付近にＰＵＳＣＨを含み、両端部にＰＵＣＣＨを含む２０ＭＨｚ以下の通信帯域の基本単位として定義されることもある。また、「単位キャリア」は、３ＧＰＰ  ＬＴＥにおいて、英語でＣｏｍｐｏｎｅｎｔ  Ｃａｒｒｉｅｒ（ｓ）と表記されることがある。また、単位帯域と呼ばれることもある。
さらに、「単位キャリア」は、物理セル番号とキャリア周波数番号で定義されてもよく、セルと呼ばれることもある。また、上記各実施の形態において、マクロセル基地局で主に使われる単位キャリア（例えば、第１種単位キャリアであるCC1）をPrimary Cell(PCell)、それ以外の単位キャリア（例えば、第２種単位キャリアであるCC2）をSecondary Cell(SCell)と呼ぶこともある。
【０１７５】
（１０）上記各実施の形態における「全端末共通のＤＣＩフォーマット」という表現は、「送信モードに依存しないＤＣＩフォーマット」と読み替えることもできる。
【０１７６】
（１１）上記各実施の形態では、端末送信モードに依存しないフォーマットをＤＣＩ  ０／１Ａとして説明したが、これに限定されるものではなく、端末送信モードに依存せず用いられるフォーマットなら何でもよい。
また、送信モード依存のＤＣＩとして、ＤＣＩ  １，２，２Ａ，２Ｂ，２Ｃ，２Ｄ，０Ａ，０Ｂ以外のフォーマットが用いられても良い。
また、上り回線または下り回線の送信モードとして、連続帯域割当送信を含めてもよい。この送信モードが設定された端末は、送信モード依存のＤＣＩは、それぞれＤＣＩ  ０(上り回線)とＤＣＩ  １Ａ（下り回線）となる。この場合、全端末共通のＤＣＩフォーマットと送信モード依存のフォーマットとが同一となるので、ＵＥ−ＳＳでは、上り回線及び下り回線でそれぞれ１種類のフォーマットを対象としてブラインド復号すれば良い。なお、上り下りともに連続帯域割当の場合は、あわせて１種類となる。
ＤＣＩ  ０／１Ａをよりサーチスペースが広い送信モード依存のＤＣＩに設定することにより、もともと伝搬路状況が劣悪なためＤＣＩ  ０／１ＡでしかＰＤＣＣＨが割り当てられない端末に対するブロック率の増加を防ぐことができる。
【０１７７】
（１２）端末ごとに設定されるＣＣは、上り回線と下り回線とでそれぞれ独立に設定されてもよい。上り回線向けに設定したＣＣの組みは、UE UL Component Carrier Setと呼ばれ、下り回線向けに設定したＣＣの組みは、UE DL Component Carrier Setなどと呼ばれることもある。
【０１７８】
（１３）上記各実施の形態では、アンテナとして説明したが、本発明はアンテナポート（antenna port）でも同様に適用できる。
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
例えば3GPP LTEにおいては、アンテナポートが何本の物理アンテナから構成されるかは規定されず、基地局が異なる参照信号（Reference signal）を送信できる最小単位として規定されている。
また、アンテナポートはプリコーディングベクトル（Precoding vector）の重み付けを乗算する最小単位として規定されることもある。
【０１７９】
（１４）上記実施の形態では、本発明をハードウェアで構成する場合を例にとって説明したが、本発明はハードウェアとの連携においてソフトウェアでも実現することも可能である。
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１８０】
２０１０年３月１９日出願の特願２０１０−０６４４３１の日本出願に含まれる明細書、図面および要約書の開示内容は、すべて本願に援用される。
【産業上の利用可能性】
【０１８１】
本発明の基地局及び送信方法は、クロスキャリアスケジューリングが採用される場合でも、PDCCH CCの変更時に上位レイヤのシグナリングを必要とせず、PDCCHの受信側におけるブラインド復号回数の増加を抑えることができるものとして有用である。
【符号の説明】
【０１８２】
１００  基地局
１０１  ＣＣ設定部
１０２  制御部
１０３  サーチスペース設定部
１０４  ＰＤＣＣＨ生成部
１０５，１０６，１０７  符号化・変調部
１０８  割当部
１０９  多重部
１１０，２１３  ＩＦＦＴ部
１１１，２１４  ＣＰ付加部
１１２，２１５  送信ＲＦ部
１１３，２０１  アンテナ
１１４，２０２  受信ＲＦ部
１１５，２０３  ＣＰ除去部
１１６，２０４  ＦＦＴ部
１１７  抽出部
１１８  ＩＤＦＴ部
１１９  データ受信部
１２０  ＡＣＫ／ＮＡＣＫ受信部
２００  端末
２０５  分離部
２０６  設定情報受信部
２０７  ＰＤＣＣＨ受信部
２０８  ＰＤＳＣＨ受信部
２０９，２１０  変調部
２１１  ＤＦＴ部
２１２  マッピング部
【図１】
0005850826.tif 000002
【図２】
0005850826.tif 000003
【図３】
0005850826.tif 000004
【図４】
0005850826.tif 000005
【図５】
0005850826.tif 000006
【図６】
0005850826.tif 000007
【図７】
0005850826.tif 000008
【図８】
0005850826.tif 000009
【図９】
0005850826.tif 000010
【図１０】
0005850826.tif 000011